(57)【特許請求の範囲】
【請求項１】
第１部屋（２０１ａ）内に配置される第１室内ユニット（２０１ａ）と、
第２部屋（２０２ｂ）内に配置される第２室内ユニット（２０２ｂ）と、
前記第１室内ユニットに接続される第１配管と、前記第２室内ユニットに接続される第２配管と、前記第１配管を介して前記第１室内ユニットに室外の空気を供給し前記第２配管を介して前記第２室内ユニットに室外の空気を供給可能な給気ユニット本体（２０５ａ）と、前記第１室内ユニットおよび前記第２室内ユニットに室外の空気が供給されるように前記第１配管と前記第２配管との連結状態を切り換える切り換え部（２３０）と、室外の空気を取り込むための空気取込口（２０７ｃ）が形成されているダクト（２５８）と、を有する給気ユニット（２０５）と、を備え、
前記切り換え部は、前記ダクト内部と前記第１配管内部とを流れる空気の流通、および、前記ダクト内部と前記第２配管内部とを流れる空気の流通の少なくともいずれか一方を遮蔽することが可能な遮蔽機構（２４０，２３３）を有し、
前記遮蔽機構は、前記第１配管内部を流れる空気が通過する第１開口（２３６）と前記第２配管内部を流れる空気が通過する第２開口（２３７）とが形成されている流路形成部材（２３２）と、前記流路形成部材の表面に対して交差する方向に移動することで前記第１開口に近接または離反する第１弁体（２４７，２４８）と、前記流路形成部材の表面に対して交差する方向に移動することで前記第２開口に近接または離反する第２弁体（２９７，２９８）と、前記第１弁体が前記第１開口に近接するように移動した時に前記第１弁体が前記第１開口を塞ぐように付勢する弾性変形可能な第１付勢部材（２４７ａ，２４９）と、前記第２弁体が前記第２開口に近接するように移動した時に前記第２弁体が前記第２開口を塞ぐように付勢する弾性変形可能な第２付勢部材（２９７ａ，２９９）と、を含む、
空気調和機（２０１）。
【請求項２】
第１部屋（２０１ａ）内に配置される第１室内ユニット（２０１ａ）と、
第２部屋（２０２ｂ）内に配置される第２室内ユニット（２０２ｂ）と、
前記第１室内ユニットに接続される第１配管と、前記第２室内ユニットに接続される第２配管と、前記第１配管を介して前記第１室内ユニットに室外の空気を供給し前記第２配管を介して前記第２室内ユニットに室外の空気を供給可能な給気ユニット本体（２０５ａ）と、前記第１室内ユニットおよび前記第２室内ユニットに室外の空気が供給されるように前記第１配管と前記第２配管との連結状態を切り換える切り換え部（２３０）と、室外の空気を取り込むための空気取込口（２０７ｃ）が形成されているダクト（２５８）と、を有する給気ユニット（２０５）と、を備え、
前記切り換え部は、前記ダクト内部と前記第１配管内部とを流れる空気の流通、および、前記ダクト内部と前記第２配管内部とを流れる空気の流通の少なくともいずれか一方を遮蔽することが可能な遮蔽機構（２４０，２３３）を有し、
前記遮蔽機構は、前記第１配管内部を流れる空気が通過する第１開口（２３６）と前記第２配管内部を流れる空気が通過する第２開口（２３７）とが形成されている流路形成部材（２３２）と、前記流路形成部材の表面に対して交差する方向に直線的に移動することで前記第１開口を開閉可能な第１弁体（２４３）と、前記流路形成部材の表面に対して交差する方向に直線的に移動することで前記第２開口を開閉可能な第２弁体（２９３）とを含む、
空気調和機（２０１）。
【請求項３】
前記遮蔽機構は、駆動部（２７１）と、前記駆動部から伝わる回転力を直線移動力に変換して前記第１弁体および前記第２弁体に伝達する変換機構（２４２，２９２）を更に含む、
請求項２に記載の空気調和機。
【請求項４】
第１部屋（２０１ａ）内に配置される第１室内ユニット（２０１ａ）と、
第２部屋（２０２ｂ）内に配置される第２室内ユニット（２０２ｂ）と、
前記第１室内ユニットに接続される第１配管と、前記第２室内ユニットに接続される第２配管と、前記第１配管を介して前記第１室内ユニットに室外の空気を供給し前記第２配管を介して前記第２室内ユニットに室外の空気を供給可能な給気ユニット本体（２０５ａ）と、前記第１室内ユニットおよび前記第２室内ユニットに室外の空気が供給されるように前記第１配管と前記第２配管との連結状態を切り換える切り換え部（２３０）と、室外の空気を取り込むための空気取込口（２０７ｃ）が形成されているダクト（２５８）と、を有する給気ユニット（２０５）と、を備え、
前記切り換え部は、前記ダクト内部と前記第１配管内部とを流れる空気の流通、および、前記ダクト内部と前記第２配管内部とを流れる空気の流通の少なくともいずれか一方を遮蔽することが可能な遮蔽機構（２４０，２３３）を有し、
前記遮蔽機構は、前記第１配管内部を流れる空気が通過する第１開口（２３６）と前記第２配管内部を流れる空気が通過する第２開口（２３７）とが形成されている流路形成部材（２３２）と、前記第１開口を閉じることが可能な第１弁体（２４３）と、前記第２開口を閉じることが可能な第２弁体（２９３）と、１つのモータ（２７１ａ）から伝わる回転力を利用して前記第１弁体および前記第２弁体を同期して駆動させる弁体駆動部（２４２，２７１，２９２）とを含む、
空気調和機（２０１）。
【請求項５】
前記弁体駆動部は、前記モータから伝わる回転力を直線移動力に変換して前記第１弁体および前記第２弁体に伝達する変換機構（２４２，２９２）を含む、
請求項４に記載の空気調和機。
【請求項６】
前記モータの駆動を制御する制御部（２６０）を更に備え、
前記制御部は、前記モータの駆動を制御することで、前記第１開口が開放されており前記第２開口が閉じられている第１状態と、前記第１開口が閉じられており前記第２開口が開放されている第２状態とを切り換える、
請求項４または５に記載の空気調和機。
【請求項７】
第１部屋（２０１ａ）内に配置される第１室内ユニット（２０１ａ）と、
第２部屋（２０２ｂ）内に配置される第２室内ユニット（２０２ｂ）と、
前記第１室内ユニットに接続される第１配管と、前記第２室内ユニットに接続される第２配管と、前記第１配管を介して前記第１室内ユニットに室外の空気を供給し前記第２配管を介して前記第２室内ユニットに室外の空気を供給可能な給気ユニット本体（２０５ａ）と、前記第１室内ユニットおよび前記第２室内ユニットに室外の空気が供給されるように前記第１配管と前記第２配管との連結状態を切り換える切り換え部（２３０）と、室外の空気を取り込むための空気取込口（２０７ｃ）が形成されているダクト（２５８）と、を有する給気ユニット（２０５）と、を備え、
前記切り換え部は、前記ダクト内部と前記第１配管内部とを流れる空気の流通、および、前記ダクト内部と前記第２配管内部とを流れる空気の流通の少なくともいずれか一方を遮蔽することが可能な遮蔽機構（２４０，２３３）を有し、
前記遮蔽機構は、前記第１配管内部を流れる空気が通過する第１開口（２３６）と前記第２配管内部を流れる空気が通過する第２開口（２３７）とが形成されている流路形成部材（２３２）と、前記流路形成部材の表面に対して交差する方向に直線的に移動することで前記第１開口および前記第２開口を開閉可能な弁体（２４３，２９３）と、駆動源（２７１ａ）によって回転駆動される回転部材（２４１，２９１）を有し前記第１開口および前記第２開口が開閉されるように前記回転部材の回転を直線運動に変換して前記弁体を移動させることが可能な弁体移動機構（２４２，２９２）と、を含み、
前記弁体移動機構は、前記回転部材が回転することによって回転基準位置が前記回転部材の所定の角度範囲（Ｗ４）を占める所定領域内にある場合、前記第１開口および前記第２開口が前記弁体によって閉じられるように構成されている、
空気調和機（２０１）。
【請求項８】
前記弁体が所定の第１位置にあることを検出する検出手段（２６３）を更に備え、
前記駆動源は、ステッピングモータであり、前記所定の第１位置または前記所定の第１位置の近傍であって前記所定の第１位置に基づいて決定される所定の第２位置からの供与パルス数に応じて前記回転基準位置が前記回転部材の前記所定領域内に入るように前記回転部材を回転駆動し、
前記弁体移動機構は、前記ステッピングモータによって前記供与パルス数に応じて前記回転部材が回転駆動されることで、前記所定の第１位置または前記所定の第２位置から前記弁体によって前記第１開口および前記第２開口が閉じられる位置である遮蔽位置に前記弁体を移動させる、
請求項７に記載の空気調和機。
【請求項９】
第１部屋（２０１ａ）内に配置される第１室内ユニット（２０１ａ）と、
第２部屋（２０２ｂ）内に配置される第２室内ユニット（２０２ｂ）と、
前記第１室内ユニットに接続される第１配管と、前記第２室内ユニットに接続される第２配管と、前記第１配管を介して前記第１室内ユニットに室外の空気を供給し前記第２配管を介して前記第２室内ユニットに室外の空気を供給可能な給気ユニット本体（２０５ａ）と、前記第１室内ユニットおよび前記第２室内ユニットに室外の空気が供給されるように前記第１配管と前記第２配管との連結状態を切り換える切り換え部（２３０）と、室外の空気を取り込むための空気取込口（２０７ｃ）が形成されているダクト（２５８）と、を有する給気ユニット（２０５）と、を備え、
前記切り換え部は、前記ダクト内部と前記第１配管内部とを流れる空気の流通、および、前記ダクト内部と前記第２配管内部とを流れる空気の流通の少なくともいずれか一方を遮蔽することが可能な遮蔽機構（２４０，２３３）を有し、
前記遮蔽機構は、前記第１配管内部を流れる空気が通過する第１開口（２３６）と前記第２配管内部を流れる空気が通過する第２開口（２３７）とが形成されている流路形成部材（２３２）と、前記第１開口を閉じることが可能な第１弁体（２４３）と、前記第２開口を閉じることが可能な第２弁体（２９３）と、１つの正逆回転可能なモータ（２７１ａ）によって回転駆動される回転部材（２４１，２９１）を有し前記第１開口および前記第２開口が開閉されるように前記回転部材の回転を直線運動に変換して前記第１弁体および前記第２弁体を移動させることが可能な弁体移動機構（２４２，２９２）と、を含み、
前記弁体移動機構は、前記第１開口が開放されており前記第２開口が閉じられている第１状態、前記第１開口が閉じられており前記第２開口が開放されている第２状態、または、前記第１開口および前記第２開口が閉じられている第３状態となるように前記第１弁体および前記第２弁体を移動させることが可能であり、前記回転部材が回転することによって回転基準位置が前記回転部材の所定の角度範囲（Ｗ４）を占める所定領域内にある場合には前記第３状態となるように構成されている、
空気調和機（２０１）。
【請求項１０】
前記切り換え部は、前記給気ユニット本体に内蔵される、
請求項１から９のいずれかに記載の空気調和機。
【請求項１１】
前記切り換え部は、前記給気ユニット本体の外部に配置される、
請求項１から９のいずれかに記載の空気調和機。
【請求項１２】
前記給気ユニットは、室外から取り込まれた空気を加湿することが可能な加湿部（５１，１５１，２５１）を更に有する、
請求項１から１１のいずれかに記載の空気調和機。
【発明の詳細な説明】
【技術分野】
【０００１】
本発明は、室外の空気を部屋内に供給する機能を有する空気調和機に関する。
【背景技術】
【０００２】
従来より、室外の空気を部屋内に供給する給気ユニットを備える空気調和機がある。例えば、特許文献１（特開２００６−１０３０７号公報）に開示されている空気調和機は、加湿機能を有する給気ユニットを備える。この給気ユニットは、室外の空気を加湿し、加湿した室外の空気を部屋内に供給することができる。これによって、この空気調和機では、部屋内を加湿することができる。
【発明の概要】
【発明が解決しようとする課題】
【０００３】
しかしながら、特許文献１に開示されている空気調和機は、１つの部屋に対して１台の給気ユニットが配備されるように構成されている。このため、複数の部屋内へ室外の空気を供給する場合、複数台の給気ユニットを配備しなければならないことになる。
【０００４】
そこで、本発明の課題は、複数の部屋内への給気を１台の給気ユニットによって実現することができる空気調和機を提供することにある。
【課題を解決するための手段】
【０００５】
第１発明に係る空気調和機は、第１室内ユニットと、第２室内ユニットと、給気ユニットとを備えている。第１室内ユニットは、第１部屋内に配置されている。第２室内ユニットは、第２部屋内に配置されている。給気ユニットは、第１配管と、第２配管と、給気ユニット本体と、切り換え部と、ダクトと、を有している。第１配管は、第１室内ユニットに接続されている。第２配管は、第２室内ユニットに接続されている。給気ユニット本体は、第１配管を介して第１室内ユニットに室外の空気を供給可能である。また、給気ユニット本体は、第２配管を介して第２室内ユニットに室外の空気を供給可能である。切り換え部は、第１室内ユニットおよび第２室内ユニットに室外の空気が供給されるように、第１配管と第２配管との連結状態を切り換える。ダクトには、室外の空気を取り込むための空気取込口が形成されている。また、切り換え部は、遮蔽機構を有する。遮蔽機構は、ダクト内部と第１配管内部とを流れる空気の流通、および、ダクト内部と第２配管内部とを流れる空気の流通の少なくともいずれか一方を遮蔽することが可能である。また、遮蔽機構は、流路形成部材と、第１弁体と、第２弁体と、第１付勢部材と、第２付勢部材とを含む。流路形成部材には、第１開口と第２開口とが形成されている。第１開口は、第１配管内部を流れる空気が通過する開口である。第２開口は、第２配管内部を流れる空気が通過する開口である。第１弁体は、流路形成部材の表面に対して交差する方向に移動することで、第１開口に近接または離反する。第２弁体は、流路形成部材の表面に対して交差する方向に移動することで、第２開口に近接または離反する。第１付勢部材は、弾性変形可能な部材である。また、第１付勢部材は、第１弁体が第１開口に近接するように移動した時に、第１弁体が第１開口を塞ぐように付勢する。第２付勢部材は、弾性変形可能な部材である。また、第２付勢部材は、第２弁体が第２開口に近接するように移動した時に、第２弁体が第２開口を塞ぐように付勢する。
【０００６】
第１発明に係る空気調和機では、第１配管、第２配管、給気ユニット本体を有する給気ユニットを備えている。このため、第１配管を介して第１室内ユニットに室外の空気を供給し、第２配管を介して第２室内ユニットに室外の空気を供給することができる。
【０００７】
これによって、複数の部屋内への給気を１台の給気ユニットによって実現することができる。
【０００８】
また、第１室内ユニットおよび第２室内ユニットに室外の空気が供給されるように、切り換え部によって、第１配管と第２配管との連結状態が切り換えられる。このため、第１室内ユニットおよび第２室内ユニットに室外の空気を供給することができる。
【０００９】
さらに、第１弁体が第１開口に近接するように移動した時に、第１付勢部材によって第１弁体が付勢される。また、第２弁体が第２開口に近接するように移動した時に、第２付勢部材によって第２弁体が付勢される。このため、例えば、弁体の移動のみで開口が塞がれる場合と比較して、第１弁体および第２弁体を第１開口および第２開口に押し付けることができる。
【００１０】
これによって、遮蔽機構の隙間から空気が漏れるおそれを減らすことができる。
【００１１】
また、例えば、第１付勢部材および第２付勢部材が、樹脂製の部材またはゴム製の部材を含む場合には、第１付勢部材および第２付勢部材によって、第１弁体および第２弁体を付勢することができる。さらに、例えば、樹脂製の部材またはゴム製の部材を含む第１付勢部材が第１弁体の端部のうち第１開口から近い側の端部である開口近傍側端部の少なくとも一部を覆うように配置されており、第１付勢部材と第１弁体の開口近傍側端部との間に空隙が設けられている場合には、１弁体が第１開口に近接するように移動して第１付勢部材が第１開口に接触した後に、さらに、第１弁体が第１開口に近接するように移動することで、第１付勢部材の形状が変形する。したがって、例えば、弁体のみによって開口が塞がれる場合と比較して、第１開口と第１弁体との間に隙間が生じるおそれを減らすことができる。また、例えば、樹脂製の部材またはゴム製の部材を含む第２付勢部材が第２弁体の端部のうち第２開口から近い側の端部である開口近傍側端部の少なくとも一部を覆うように配置されており、第２付勢部材と第２弁体の開口近傍側端部との間に空隙が設けられている場合には、第２弁体が第２開口に近接するように移動して第２付勢部材が第２開口に接触した後に、さらに、第２弁体が第２開口に近接するように移動することで、第２付勢部材の形状が変形する。したがって、例えば、弁体のみによって開口が塞がれる場合と比較して、第２開口と第２弁体との間に隙間が生じるおそれを減らすことができる。
【００１２】
また、遮蔽機構が、第１弁体および第２弁体を流路形成部材の表面に対して交差する方向に移動させることが可能な移動機構を有する場合には、移動機構によって第１付勢部材および第２付勢部材を弾性変形させることができる。さらに、第１付勢部材および第２付勢部材がバネ部材を含む場合には、バネ部材によって、第１弁体および第２弁体を付勢することができる。また、例えば、第１付勢部材および第２付勢部材に含まれるバネ部材が、第１開口および第２開口が塞がれるように第１弁体および第２弁体を付勢している時に最も収縮した状態となる場合には、最も収縮した状態のバネ部材によって第１弁体および第２弁体を付勢することができる。
【００１３】
第２発明に係る空気調和機は、第１室内ユニットと、第２室内ユニットと、給気ユニットとを備えている。第１室内ユニットは、第１部屋内に配置されている。第２室内ユニットは、第２部屋内に配置されている。給気ユニットは、第１配管と、第２配管と、給気ユニット本体と、切り換え部と、ダクトと、を有している。第１配管は、第１室内ユニットに接続されている。第２配管は、第２室内ユニットに接続されている。給気ユニット本体は、第１配管を介して第１室内ユニットに室外の空気を供給可能である。また、給気ユニット本体は、第２配管を介して第２室内ユニットに室外の空気を供給可能である。切り換え部は、第１室内ユニットおよび第２室内ユニットに室外の空気が供給されるように、第１配管と第２配管との連結状態を切り換える。ダクトには、室外の空気を取り込むための空気取込口が形成されている。また、切り換え部は、遮蔽機構を有する。遮蔽機構は、ダクト内部と第１配管内部とを流れる空気の流通、および、ダクト内部と第２配管内部とを流れる空気の流通の少なくともいずれか一方を遮蔽することが可能である。また、遮蔽機構は、流路形成部材と、第１弁体と、第２弁体とを含む。流路形成部材には、第１開口と第２開口とが形成されている。第１開口は、第１配管内部を流れる空気が通過する開口である。第２開口は、第２配管内部を流れる空気が通過する開口である。第１弁体は、流路形成部材の表面に対して交差する方向に直線的に移動することで、第１開口を開閉可能である。第２弁体は、流路形成部材の表面に対して交差する方向に直線的に移動することで、第２開口を開閉可能である。
【００１４】
第２発明に係る空気調和機では、第１配管、第２配管、給気ユニット本体を有する給気ユニットを備えている。このため、第１配管を介して第１室内ユニットに室外の空気を供給し、第２配管を介して第２室内ユニットに室外の空気を供給することができる。
【００１５】
これによって、複数の部屋内への給気を１台の給気ユニットによって実現することができる。
【００１６】
また、第１室内ユニットおよび第２室内ユニットに室外の空気が供給されるように、切り換え部によって、第１配管と第２配管との連結状態が切り換えられる。このため、第１室内ユニットおよび第２室内ユニットに室外の空気を供給することができる。
【００１７】
さらに、第１弁体および第２弁体は、直線的に移動することによって、第１開口および第２開口を開閉する。このため、例えば、弁体がスライド移動することによって開口を閉じるような遮蔽機構と比較して、第１弁体および第２弁体によって第１開口および第２開口が閉じられた時に、流路形成部材と第１弁体および第２弁体との間に隙間が生じるおそれを減らすことができる。
【００１８】
これによって、遮蔽機構の隙間から空気が漏れるおそれを減らすことができる。
【００１９】
第３発明に係る空気調和機は、第２発明の空気調和機であって、遮蔽機構は、駆動部と、変換機構とを更に含む。変換機構は、駆動部から伝わる回転力を直線移動力に変換して、第１弁体および第２弁体に伝達する。このため、回転運動を直線運動に変換して、第１弁体および第２弁体に伝達することができる。また、例えば、変換機構が、カム機構であって、弁体の移動中心軸を中心線とする円筒状カムを有する場合には、円筒状カムによって、１弁体および第２弁体を直線的に移動させることができる。さらに、例えば、カム機構が、傾斜するカム面を有する場合には、第１弁体および第２弁体を円滑に移動させることができる。
【００２０】
第４発明に係る空気調和機は、第１室内ユニットと、第２室内ユニットと、給気ユニットとを備えている。第１室内ユニットは、第１部屋内に配置されている。第２室内ユニットは、第２部屋内に配置されている。給気ユニットは、第１配管と、第２配管と、給気ユニット本体と、切り換え部と、ダクトと、を有している。第１配管は、第１室内ユニットに接続されている。第２配管は、第２室内ユニットに接続されている。給気ユニット本体は、第１配管を介して第１室内ユニットに室外の空気を供給可能である。また、給気ユニット本体は、第２配管を介して第２室内ユニットに室外の空気を供給可能である。切り換え部は、第１室内ユニットおよび第２室内ユニットに室外の空気が供給されるように、第１配管と第２配管との連結状態を切り換える。ダクトには、室外の空気を取り込むための空気取込口が形成されている。また、切り換え部は、遮蔽機構を有する。遮蔽機構は、ダクト内部と第１配管内部とを流れる空気の流通、および、ダクト内部と第２配管内部とを流れる空気の流通の少なくともいずれか一方を遮蔽することが可能である。また、遮蔽機構は、流路形成部材と、第１弁体と、第２弁体と、弁体駆動部とを含む。流路形成部材には、第１開口と第２開口とが形成されている。第１開口は、第１配管内部を流れる空気が通過する開口である。第２開口は、第２配管内部を流れる空気が通過する開口である。第１弁体は、第１開口を閉じることが可能である。第２弁体は、第２開口を閉じることが可能である。弁体駆動部は、１つのモータから伝わる回転力を利用して、第１弁体および第２弁体を同期して駆動させる。
【００２１】
第４発明に係る空気調和機では、第１配管、第２配管、給気ユニット本体を有する給気ユニットを備えている。このため、第１配管を介して第１室内ユニットに室外の空気を供給し、第２配管を介して第２室内ユニットに室外の空気を供給することができる。
【００２２】
これによって、複数の部屋内への給気を１台の給気ユニットによって実現することができる。
【００２３】
また、第１室内ユニットおよび第２室内ユニットに室外の空気が供給されるように、切り換え部によって、第１配管と第２配管との連結状態が切り換えられる。このため、第１室内ユニットおよび第２室内ユニットに室外の空気を供給することができる。
【００２４】
さらに、１つのモータから伝わる回転力を利用して、第１弁体および第２弁体を同期して駆動させることができる。このため、１つのモータによって、第１開口および第２開口を閉じることができる。したがって、１つのモータによって、ダクト内部と第１配管内部とを流れる空気の流通、および、ダクト内部と第２配管内部とを流れる空気の流通を遮蔽することができる。
【００２５】
これによって、１つの弁体を駆動させるために１つのモータが使用される場合と比較して、部品点数を増加させることなく、複数の空気流路を遮蔽することができる。
【００２６】
第５発明に係る空気調和機は、第４発明の空気調和機であって、弁体駆動部は、変換機構を含む。変換機構は、モータから伝わる回転力を直線移動力に変換して第１弁体および第２弁体に伝達する。このため、弁体駆動部は、第１弁体および第２弁体を直線的に駆動することができる。
【００２７】
第６発明に係る空気調和機は、第４発明または第５発明のいずれかの空気調和機であって、モータの駆動を制御する制御部を更に備える。また、制御部は、モータの駆動を制御することで、第１状態と、第２状態とを切り換える。第１状態とは、第１開口が開放されており、第２開口が閉じられている状態である。第２状態とは、第１開口が閉じられており第２開口が開放されている状態である。このため、第１開口または第２開口のいずれか１つの開口を開放された状態にすることができる。また、例えば、制御部がモータの駆動を制御することで、第１開口および第２開口が閉じられている第３状態に更に切り換えることができる場合には、第１開口および第１開口を同時に閉じることができる。したがって、ダクト内部と第１配管とを流れる空気の流通およびダクト内部と第２配管とを流れる空気の流通を遮蔽することができる。
【００２８】
また、例えば、遮蔽機構が、第１開口または第２開口が開放されているか否かを検知可能な検知部を有する場合には、第１開口または第２開口が開放されていることを検知することができる。さらに、例えば、制御部が、モータの回転方向および検知部による検知結果に基づいて、第１状態であるか否か、または、第２状態であるか否かを判断することができる場合には、第１配管および第２配管のうちのいずれの配管内部に空気が流通しているかを判断することができる。
【００２９】
第７発明に係る空気調和機は、第１室内ユニットと、第２室内ユニットと、給気ユニットとを備えている。第１室内ユニットは、第１部屋内に配置されている。第２室内ユニットは、第２部屋内に配置されている。給気ユニットは、第１配管と、第２配管と、給気ユニット本体と、切り換え部と、ダクトと、を有している。第１配管は、第１室内ユニットに接続されている。第２配管は、第２室内ユニットに接続されている。給気ユニット本体は、第１配管を介して第１室内ユニットに室外の空気を供給可能である。また、給気ユニット本体は、第２配管を介して第２室内ユニットに室外の空気を供給可能である。切り換え部は、第１室内ユニットおよび第２室内ユニットに室外の空気が供給されるように、第１配管と第２配管との連結状態を切り換える。ダクトには、室外の空気を取り込むための空気取込口が形成されている。また、切り換え部は、遮蔽機構を有する。遮蔽機構は、ダクト内部と第１配管内部とを流れる空気の流通、および、ダクト内部と第２配管内部とを流れる空気の流通の少なくともいずれか一方を遮蔽することが可能である。また、遮蔽機構は、流路形成部材と、弁体と、弁体移動機構とを含む。流路形成部材には、第１開口と第２開口とが形成されている。第１開口は、第１配管内部を流れる空気が通過する開口である。第２開口は、第２配管内部を流れる空気が通過する開口である。弁体は、流路形成部材の表面に対して交差する方向に直線的に移動することで、第１開口および第２開口を開閉可能である。弁体移動機構は、駆動源によって回転駆動される回転部材を有している。また、弁体移動機構は、第１開口および第２開口が開閉されるように、回転部材の回転を直線運動に変換して、弁体を移動させることが可能である。さらに、弁体移動機構は、回転部材が回転することによって回転基準位置が回転部材の所定の角度範囲を占める所定領域内にある場合、第１開口および第２開口が弁体によって閉じられるように構成されている。
【００３０】
第７発明に係る空気調和機では、第１配管、第２配管、給気ユニット本体を有する給気ユニットを備えている。このため、第１配管を介して第１室内ユニットに室外の空気を供給し、第２配管を介して第２室内ユニットに室外の空気を供給することができる。
【００３１】
これによって、複数の部屋内への給気を１台の給気ユニットによって実現することができる。
【００３２】
また、第１室内ユニットおよび第２室内ユニットに室外の空気が供給されるように、切り換え部によって、第１配管と第２配管との連結状態が切り換えられる。このため、第１室内ユニットおよび第２室内ユニットに室外の空気を供給することができる。
【００３３】
さらに、回転基準位置が回転部材の所定領域内にある場合には、弁体によって第１開口および第２開口が遮蔽される。このため、例えば、弁体移動機構が回転基準位置と回転部材の所定位置とが一致した場合にのみ弁体によって開口が遮蔽されるように構成されている場合と比較して、第１開口および第２開口が遮蔽されないおそれを減らすことができる。
【００３４】
これによって、遮蔽機構の隙間から空気が漏れるおそれを減らすことができる。
【００３５】
なお、回転基準位置は、回転部材の回転によって変動しない位置である。
【００３６】
第８発明に係る空気調和機は、第７発明の空気調和機であって、弁体が所定の第１位置にあることを検出する検出手段を更に備える。また、駆動源は、ステッピングモータである。さらに、駆動源は、所定の第１位置または所定の第２位置からの供与パルス数に応じて、回転基準位置が回転部材の所定領域内に入るように、回転部材を回転駆動する。所定の第２位置とは、所定の第１位置の近傍であって、所定の第１位置に基づいて決定される位置のことである。弁体移動機構は、ステッピングモータによって供与パルス数に応じて回転部材が回転駆動されることで、所定の第１位置または所定の第２位置から遮蔽位置に弁体を移動させる。遮蔽位置とは、弁体によって第１開口および第２開口が閉じられる位置である。
【００３７】
第８発明に係る空気調和機では、ステッピングモータが供与パルス数に応じて回転部材を回転することで、弁体が、所定の第１位置または所定の第２位置から遮蔽位置まで移動する。このため、駆動源が供与パルス数に応じて回転するようなステッピングモータであっても、回転基準位置が回転部材の所定領域内にある場合には、弁体を遮蔽位置に移動させることができる。
【００３８】
これによって、第１開口および第２開口が遮蔽されないおそれを減らすことができる。
【００３９】
なお、供与パルス数とは、モータに供給されるパルス数のことである。
第９発明に係る空気調和機は、第１室内ユニットと、第２室内ユニットと、給気ユニットとを備えている。第１室内ユニットは、第１部屋内に配置されている。第２室内ユニットは、第２部屋内に配置されている。給気ユニットは、第１配管と、第２配管と、給気ユニット本体と、切り換え部と、ダクトと、を有している。第１配管は、第１室内ユニットに接続されている。第２配管は、第２室内ユニットに接続されている。給気ユニット本体は、第１配管を介して第１室内ユニットに室外の空気を供給可能である。また、給気ユニット本体は、第２配管を介して第２室内ユニットに室外の空気を供給可能である。切り換え部は、第１室内ユニットおよび第２室内ユニットに室外の空気が供給されるように、第１配管と第２配管との連結状態を切り換える。ダクトには、室外の空気を取り込むための空気取込口が形成されている。また、切り換え部は、遮蔽機構を有する。遮蔽機構は、ダクト内部と第１配管内部とを流れる空気の流通、および、ダクト内部と第２配管内部とを流れる空気の流通の少なくともいずれか一方を遮蔽することが可能である。また、遮蔽機構は、流路形成部材と、第１弁体と、第２弁体と、弁体移動機構とを含む。流路形成部材には、第１開口と第２開口とが形成されている。第１開口は、第１配管内部を流れる空気が通過する開口である。第２開口は、第２配管内部を流れる空気が通過する開口である。第１弁体は、第１開口を閉じることが可能である。第２弁体は、第２開口を閉じることが可能である。弁体移動機構は、１つの正逆回転可能なモータによって回転駆動される回転部材を有する。また、弁体移動機構は、第１開口および第２開口が開閉されるように、回転部材の回転を直線運動に変換して第１弁体および第２弁体を移動させることが可能である。さらに、弁体移動機構は、第１状態、第２状態、または、第３状態となるように、第１弁体および第２弁体を移動させることが可能である。第１状態とは、第１開口が開放されており、第２開口が閉じられている状態である。第２状態とは、第１開口が閉じられており、第２開口が開放されている状態のことである。第３状態とは、第１開口および第２開口が閉じられている状態のことである。また、弁体移動機構は、回転部材が回転することによって、回転基準位置が回転部材の所定の角度範囲を占める所定領域内にある場合には、第３状態となるように構成されている。
【００４０】
第９発明に係る空気調和機では、第１配管、第２配管、給気ユニット本体を有する給気ユニットを備えている。このため、第１配管を介して第１室内ユニットに室外の空気を供給し、第２配管を介して第２室内ユニットに室外の空気を供給することができる。
【００４１】
これによって、複数の部屋内への給気を１台の給気ユニットによって実現することができる。
【００４２】
また、第１室内ユニットおよび第２室内ユニットに室外の空気が供給されるように、切り換え部によって、第１配管と第２配管との連結状態が切り換えられる。このため、第１室内ユニットおよび第２室内ユニットに室外の空気を供給することができる。
【００４３】
さらに、回転基準位置が回転部材の所定領域内にある場合には、第３状態となる。このため、回転基準位置が回転部材の所定領域内にある場合には、第１開口および第２開口が閉じられるように弁体を移動させることができる。このため、例えば、モータが供給されるパルス数に応じて正逆回転するようなモータであっても、回転基準位置が所定領域内に入るように回転部材を回転することで、第１開口および第２開口を閉じることができる。
【００４４】
これによって、遮蔽機構の隙間から空気が漏れるおそれを減らすことができる。
【００４５】
第１０発明に係る空気調和機は、第１発明から第９発明のいずれかの空気調和機であって、切り換え部は、給気ユニット本体に内蔵されている。このため、切り換え部を給気ユニット本体と別に設置する作業をなくすことができる。
【００４６】
第１１発明に係る空気調和機は、第１発明から第９発明のいずれかの空気調和機であって、切り換え部は、給気ユニット本体の外部に配置されている。このため、切り換え部が給気ユニット本体の内部に配置される場合と比較して、給気ユニットのサイズを小さくすることができる。
【００４７】
第１２発明に係る空気調和機は、第１発明から第１１発明のいずれかの空気調和機であって、給気ユニットは、加湿部を更に有する。加湿部は、室外から取り込まれた空気を加湿することが可能である。
【００４８】
これによって、部屋内に加湿空気を供給することができる。
【発明の効果】
【００４９】
第１発明に係る空気調和機では、複数の部屋内への給気を１台の給気ユニットによって実現することができる。
【００５０】
第２発明に係る空気調和機では、複数の部屋内への給気を１台の給気ユニットによって実現することができる。
【００５１】
第３発明に係る空気調和機では、回転運動を直線運動に変換して、第１弁体および第２弁体に伝達することができる。
【００５２】
第４発明に係る空気調和機では、複数の部屋内への給気を１台の給気ユニットによって実現することができる。
【００５３】
第５発明に係る空気調和機では、第１弁体および第２弁体を直線的に駆動することができる。
【００５４】
第６発明に係る空気調和機では、第１開口または第２開口のいずれか１つの開口が開放された状態にすることができる。
【００５５】
第７発明に係る空気調和機では、複数の部屋内への給気を１台の給気ユニットによって実現することができる。
【００５６】
第８発明に係る空気調和機では、第１開口および第２開口が遮蔽されないおそれを減らすことができる。
【００５７】
第９発明に係る空気調和機では、複数の部屋内への給気を１台の給気ユニットによって実現することができる。
【００５８】
第１０発明に係る空気調和機では、切り換え部を給気ユニット本体と別に設置する作業をなくすことができる。
【００５９】
第１１発明に係る空気調和機では、給気ユニットのサイズを小さくすることができる。
【００６０】
第１２発明に係る空気調和機では、部屋内に加湿空気を供給することができる。
【図面の簡単な説明】
【００６１】
【図１】本発明の第１実施形態に係る空気調和機の概略冷媒回路図。
【図２】本発明の第１実施形態に係る空気調和機の概念図。
【図３】室外機の分解斜視図。
【図４】仕切板に固定されているリアクタを示す（ａ）正面図、（ｂ）左側面図、および（ｃ）右側面図。
【図５】リアクタ固定板を仕切板の切り起こしに差し込む様子を示す図。
【図６】第３切り起こしの変形例を示す（ａ）正面図、および、（ｂ）左側面図。
【図７】第１状態における空気流路切り換え部の（ａ）平面図、（ｂ）給気時の空気の流れを示す断面図（図７（ａ）の VII−VII 断面に相当）、および、（ｃ）排気時の空気の流れを示す断面図（図７（ａ）の VII−VII 断面に相当）。
【図８】第２状態における空気流路切り換え部の（ａ）平面図、（ｂ）給気時の空気の流れを示す断面図（図８（ａ）の VIII−VIII 断面に相当）、および、（ｃ）排気時の空気の流れを示す断面図（図８（ａ）の VIII−VIII 断面に相当）。
【図９】第３状態における空気流路切り換え部の（ａ）平面図、（ｂ）給気時の空気の流れを示す断面図（図９（ａ）の IX−IX 断面に相当）、および、（ｃ）排気時の空気の流れを示す断面図（図９（ａ）の IX−IX 断面に相当）。
【図１０】本発明の第１実施形態に係る空気調和機の備える制御部の制御ブロック図。
【図１１】本発明の第２実施形態に係る空気調和機の概略冷媒回路図。
【図１２】本発明の第２実施形態に係る空気調和機の概念図。
【図１３】第１状態における空気流路切り換え部の（ａ）平面図、（ｂ）給気時の空気の流れを示す断面図（図１３（ａ）の XIII−XIII 断面に相当）、および、（ｃ）排気時の空気の流れを示す断面図（図１３（ａ）の XIII−XIII 断面に相当）。
【図１４】第２１状態における空気流路切り換え部の（ａ）平面図、（ｂ）給気時の空気の流れを示す断面図（図１４（ａ）の XIV−XIV 断面に相当）、および、（ｃ）排気時の空気の流れを示す断面図（図１４（ａ）の XIV−XIV 断面に相当）。
【図１５】第３状態における空気流路切り換え部の（ａ）平面図、（ｂ）給気時の空気の流れを示す断面図（図１５（ａ）の XV−XV 断面に相当）、および、（ｃ）排気時の空気の流れを示す断面図（図１５（ａ）の XV−XV 断面に相当）。
【図１６】本発明の第２実施形態に係る空気調和機の備える制御部の制御ブロック図。
【図１７】本発明の第３実施形態に係る空気調和機の概略冷媒回路図。
【図１８】本発明の第３実施形態に係る空気調和機の概念図。
【図１９】加湿ユニットの分解斜視図。
【図２０】空気流路切り換え部が第２状態である場合の空気流路切り換え部の断面図。
【図２１】遮蔽部の分解斜視図。
【図２２】円筒カム部における（ａ）ギアの平面図、（ｂ）ギアを図２２（ａ）の矢印Ｋ１方向から視た側面図。
【図２３】円筒カム部において（ａ）駆動カムを平面上に展開した状態で示す平面展開図、（ｂ）ギア側カム部を平面上に展開した状態で示す平面展開図。
【図２４】円筒カム部における（ａ）駆動カムの平面図、（ｂ）駆動カムを図２４（ａ）の矢印Ｋ２方向から視た側面図。
【図２５】円筒カム部を平面上に展開した状態で示す平面展開図。
【図２６】円筒カム部とカム溝との関係を示す概略図。
【図２７】弁体が（ａ）開口を開放している状態を示す図、（ｂ）開口に接触している状態を示す図、（ｃ）開口によって変形されている状態を示す図。
【図２８】遮蔽部の平面図（カバーは省略）。
【図２９】カバーの平面図。
【図３０】（ａ）カバーの断面図（図２９のXXX（ａ）−XXX（ａ）断面に相当）、（ｂ）カバーを図２９のXXX（ｂ）−XXX（ｂ）で切断し図２９の矢印Ｋ３方向から視たカバーの側面図。
【図３１】空気流路切り換え部が第１状態である場合の空気流路切り換え部の断面図。
【図３２】空気流路切り換え部が第３状態である場合の空気流路切り換え部の断面図。
【図３３】（ａ）遮蔽部を平面視した場合の円筒カム部におけるカム溝の位置および凸部の位置を示す概略図、（ｂ）円筒カム部の回転位置が図３３（ａ）に示す位置にある場合の弁体の位置を示す概略図。
【図３４】（ａ）遮蔽部を平面視した場合の円筒カム部におけるカム溝の位置および凸部の位置を示す概略図、（ｂ）円筒カム部の回転位置が図３４（ａ）に示す位置にある場合の弁体の位置を示す概略図。
【図３５】（ａ）遮蔽部を平面視した場合の円筒カム部におけるカム溝の位置および凸部の位置を示す概略図、（ｂ）円筒カム部の回転位置が図３５（ａ）に示す位置にある場合の弁体の位置を示す概略図。
【図３６】シャフトに取り付けられた状態のガイド板の拡大図。
【図３７】制御部の制御ブロック図。
【図３８】空気流路切り換え部の状態と弁体およびカム溝との関係を示す図。
【発明を実施するための形態】
【００６２】
−第１実施形態−
＜空気調和機の構成＞
本発明の第１実施形態に係る空気調和機１について説明する。この空気調和機１は、図１に示すように、１台の室外機３と、２台の室内機２ａ，２ｂとが冷媒配管によって並列に接続されているマルチタイプの空気調和機である。また、この空気調和機１は、冷房運転および暖房運転を含む通常運転、加湿運転、給気運転および排気運転等の運転を行うことができる。室外機３は、室外熱交換器２４や室外ファン２９などを内部に収容する室外空調ユニット５と、加湿ユニット４とを備えている。室内機２ａ，２ｂの内部には室内熱交換器１１ａ，１１ｂが収容されている。また、加湿ユニット４と室内機２ａ，２ｂとの間には、加湿ユニット４の内部空間と室内機２ａ，２ｂの内部空間と連通させることが可能な吸排気ホース６ａ，６ｂが設けられている。なお、吸排気ホース６ａ，６ｂは、室外に配置される室外ダクト８ａ，８ｂと、屋内に配置される室内ダクト９ａ，９ｂとから構成されている。
【００６３】
＜室内機の構成＞
第１室内機２ａは、図２に示すように、第１部屋１ａ内に配置されており、第１部屋１ａの壁面等に設置される壁掛け型の室内機である。また、第２室内機２ｂは、第２部屋１ｂ内に配置されており、第１室内機２ａと同様に第２部屋１ｂ内の壁面等に設置される壁掛け型の室内機である。また、第１室内機２ａおよび第２室内機２ｂは、図１に示すように、冷媒配管を介して室外機３に接続されている。
【００６４】
次に、第１室内機２ａの構成について説明する。なお、第１室内機２ａと第２室内機２ｂとは、同様の構成であるため、ここでは、第１室内機２ａの構成のみを説明する。
【００６５】
第１室内機２ａ内には、図１に示すように、第１室内ファン１２ａおよび上述の第１室内熱交換器１１ａ等が収容されている。
【００６６】
第１室内熱交換器１１ａは、長手方向両端で複数回折り返されてなる伝熱管と、伝熱管から挿通される複数のフィンとからなり、接触する空気との間で熱交換を行う。
【００６７】
第１室内ファン１２ａは、円筒形状に構成され、周面には回転軸方向に羽根が設けられている。第１室内ファン１２ａは、回転駆動することによって、回転軸と交わる方向に空気流を生成する。第１室内ファン１２ａは、第１部屋１ａ内の空気を第１室内機２ａ内に吸い込ませるとともに、第１室内熱交換器１１ａとの間で熱交換を行った後の空気を第１部屋１ａ内に吹き出させる。
【００６８】
また、第１室内機２ａ内には、第１吸排気ホース６ａの一部である第１室内ダクト９ａが配置されている。第１室内ダクト９ａには開口が設けられており、この開口は第１室内熱交換器１１ａの表面と対向する位置に配置されている。具体的な開口の位置とは、第１室内ファン１２ａが回転し空気流が生成されている状態で、第１室内機２ａの上部に設けられている空気取込口の下流側であり、かつ、第１室内熱交換器１１ａの上流側である。
【００６９】
＜室外機の構成＞
室外機３は、図１および図２に示すように、下部の室外空調ユニット５と、上部の加湿ユニット４とから構成されている。このため、この室外機３では、室外空調ユニット５と加湿ユニット４との電源を一元化することができる。
【００７０】
室外空調ユニット５は、図３に示すように、室外機ケーシング４３を有している。また、室外機ケーシング４３内には、図１に示すように、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された室外膨張弁２５ａ，２５ｂとが収容されている。室外膨張弁２５ａ，２５ｂは、フィルタ２６ａ，２６ｂおよび液閉鎖弁２７ａ，２７ｂを介して液冷媒配管に接続されており、この液冷媒配管を介して室内熱交換器１１ａ，１１ｂの一端と接続されている。また、四路切換弁２２は、ガス閉鎖弁２８ａ，２８ｂを介してガス冷媒配管に接続されており、このガス冷媒配管を介して室内熱交換器１１ａ，１１ｂの他端と接続されている。
【００７１】
また、室外空調ユニット５内は、図３に示すように、仕切板４４によって、室外ファン２９の配設されている送風機室と、圧縮機２１が配設されている機械室とに区画されている。さらに、室外空調ユニット５内には、リアクタ５０が収容されており、リアクタ５０は仕切板４４の上方に固定されている。また、仕切板４４には、図４および図５に示すように、リアクタ固定板４５を固定するための、切り起こし４４ａ，４４ｂ，４４ｃと、ダボ４４ｄと、ネジ穴４４ｅが設けられている。切り起こし４４ａ，４４ｂ，４４ｃは、送風機室側から機械室側に突出するように仕切板４４に３つ（第１切り起こし４４ａ、第２切り起こし４４ｂおよび第３切り起こし４４ｃ）設けられている。第１切り起こし４４ａおよび第２切り起こし４４ｂは、略三角形状の切り起こしであり、袋状に設けられている。また、第１切り起こし４４ａおよび第２切り起こし４４ｂは、仕切板４４を機械室側から正面視した場合、リアクタ固定板４５の右側上下端部と一致するようにそれぞれ設けられている。第３切り起こし４４ｃは、仕切板４４の短手方向に沿って形成された切り起こしであり、リアクタ固定板４５の左側下端部にと一致するように設けられている。また、ネジ穴４４ｅは、図５に示すように、リアクタ固定板４５の左側上端部と一致するように設けられた孔である。さらに、ダボ４４ｄは、ネジ穴４４ｅ近傍に凸設されている。また、リアクタ固定板４５には、ネジ穴４４ｅと一致する位置に孔４５ａが設けられており、ダボ４４ｄと一致する位置に凹部４５ｂが設けられている。
【００７２】
このような構成によって、リアクタ５０の固定作業は、取り付け作業者が、リアクタ固定板４５を、仕切板４４の切り起こし４４ａ，４４ｂ，４４ｃに図５の矢印Ａ３方向に差し込み、リアクタ固定板４５に設けられている孔４５ａと仕切板４４に設けられているネジ穴４４ｅとを貫通するようにネジ４６によってネジ止めすることによって行われる。このため、リアクタ５０は、右側上下端部および左側下端部が切り起こし４４ａ，４４ｂ，４４ｃによって支持され、右側上端部がネジ４６によって固定される。さらに、リアクタ５０の右側上下端部は、袋状の切り起こし４４ａ，４４ｂ，４４ｃによって支持されている。このため、例えば、袋状に設けられていない切り起こしによって支持されている場合と比較して、仕切板４４により強く固定されていることになる。これによって、リアクタ５０が仕切板４４から落下しにくくすることができる。また、ダボ４４ｄが設けられていることによって、切り起こし４４ａ，４４ｂ，４４ｃにリアクタ固定板４５を差し込む作業を行う際に必要である隙間によって起こる騒音を発生しにくくすることができる。
【００７３】
なお、図６に示すように、第３切り起こし１４４ｃは、その先端が仕切板１４４の長手方向に沿って延びるような形状をしていてもよい。さらに、リアクタ固定板４５を第３切り起こし１４４ｃに差し込む際に必要となる隙間を、固定作業の効率が低下しない程度に設けることで、固定作業の作業性を悪化させることなく、仕切板４４へのリアクタ５０の固定をより確実に行うことができる。
【００７４】
また、加湿ユニット４は、図３に示すように、室外機３の上部に配置されており、加湿ユニットケーシング７と、加湿ユニット本体６とを備えている。加湿ユニット４は、部屋１ａ，１ｂ内から取り込まれた空気を室外へと排気したり、室外から取り込まれた空気を部屋１ａ，１ｂ内へと供給したりすることができる。また、室外から取り込まれた空気を加湿して部屋１ａ，１ｂ内へと供給することもできる。
【００７５】
以下、加湿ユニット４の構成について説明する。
【００７６】
＜加湿ユニットの構成＞
（１）加湿ユニットケーシング
加湿ユニットケーシング７は、図１に示すように、加湿ロータ５１、加熱装置５２、加湿ファン５４、吸排気切り換えダンパ５３、吸着用送風装置５５および空気流路切り換え部３０等を収納している。
【００７７】
加湿ユニットケーシング７の前面には、図１および図３に示すように、複数のスリット状の開口からなる吸着用空気吹き出し口７ａが設けられている。また、加湿ユニットケーシング７の背面には、吸着用空気取込口７ｂおよび吸排気口７ｃが設けられている。吸着用空気取込口７ｂは、加湿ロータ５１に水分を吸着させるために室外から取り込まれる空気が通る開口である。吸排気口７ｃは、吸気運転および加湿運転時に、室外から加湿ユニット４内に取り込まれ室内機２ａ，２ｂに送られる空気が通る開口である。また、吸排気口７ｃは、排気運転時に、室内機２ａ，２ｂから取り込まれ加湿ユニット４内から室外へと排気される空気が通る開口である。
【００７８】
（２）加湿ユニット本体
加湿ユニット本体６は、図１および図３に示すように、加湿ロータ５１、加熱装置５２、吸排気切り換えダンパ５３、加湿ファン５４、吸着用送風装置５５等を備えている。
【００７９】
加湿ロータ５１は、ハニカム構造のセラミックロータであり、概ね円盤形状の外形を有している。また、加湿ロータ５１は、回転可能に設けられており、ロータ駆動用モータによって回転駆動される。さらに、加湿ロータ５１の主たる部分は、ゼオライト等の吸着剤から焼成されている。ゼオライト等の吸着剤は、接触する空気中の水分を吸着するとともに、吸着した水分を加熱されることによって脱着するという性質を有している。なお、本実施形態では、吸着剤としてゼオライトを用いているが、シリカゲルやアルミナ等を吸着剤として用いることも可能である。
【００８０】
加熱装置５２は、加湿ロータ５１の上方に位置しており、加湿ロータ５１に対向して配置されている。また、加熱装置５２は、加湿ロータ５１へ送られる空気を加熱することにより、加湿ロータ５１を加熱することができる。
【００８１】
加湿ファン５４は、加湿ロータ５１の側方に配置されており、室外から取り込まれ室内機２ａ，２ｂへと送られる空気の流れを生成するラジカルファン組立体である。加湿ファン５４は、吸排気口７ｃから加湿ロータ５１および吸排気切り換えダンパ５３を経て部屋１ａ，１ｂ内へと到る空気の流れを生成して、室外から取り入れた空気を室内機２ａ，２ｂへと送る。また、加湿ファン５４は、室内機２ａ，２ｂから取り入れた部屋１ａ，１ｂ内の空気を室外へと排出することもできる。なお、加湿ファン５４は、吸排気切り換えダンパ５３が切り換わることによって、これらの動作を切り換える。加湿ファン５４は、図１に示すように、室外から取り入れた空気を室内機２ａ，２ｂへと送る場合には、加湿ロータ５１のうちの加熱装置５２と対向する部分を通過した空気を、吸排気切り換えダンパ５３を経て吸排気ダクト５８へと送り出す。
【００８２】
吸排気ダクト５８は、図１および図２に示すように、後述する空気流路切り換え部３０を介して吸排気ホース６ａ，６ｂに接続されており、加湿ファン５４は、吸排気ダクト５８、空気流路切り換え部３０および吸排気ホース６ａ，６ｂを介して室外の空気を室内機２ａ，２ｂへと供給する。なお、吸排気ホース６ａ，６ｂを通って室内機２ａ，２ｂへ送られる空気は、上述のように室内機２ａ，２ｂ内部において室内熱交換器１１ａ，１１ｂの表面に吹き出される。
【００８３】
また、加湿ファン５４は、室内機２ａ，２ｂから取り入れた部屋１ａ，１ｂ内の空気を室外へと排出する場合には、吸排気ホース６ａ，６ｂおよび吸排気ダクト５８を通ってきた部屋１ａ，１ｂ内の空気を吸排気口７ｃから室外へと排出する。
【００８４】
吸着用送風装置５５は、吸着用ファンモータ５９と、吸着用ファンモータ５９によって回転駆動される吸着ファン６１とを有し、加湿ロータ５１のうちの加熱装置５２と対向しない部分を通過する空気の流れを生成する。すなわち、吸着用送風装置５５は、吸着用空気取込口７ｂから吸い込まれ、加湿ロータ５１のうちの加熱装置５２と対向しない部分を通過し、ベルマウス６２の開口を通り、吸着用空気吹き出し口７ａから室外へ排出される空気の流れを生成する。
【００８５】
吸排気切り換えダンパ５３は、吸排気ダンパと、吸排気ダンパを回転させるための吸排気ダンパ駆動用モータ５３ａ（図１０参照）とを含む、回転式の空気流路切換機構である。また、吸排気切り換えダンパ５３は、加湿ファン５４の下方に配置される。さらに、吸排気切り換えダンパ５３では、吸排気ダンパ駆動用モータ５３ａが吸排気ダンパを回転させることで、給気状態と排気状態とが切り換えられる。
【００８６】
給気状態では、加湿ファン５４によって、加湿ユニット４側から室内機２ａ，２ｂ側に向かう空気流が生成される。例えば、吸排気切り換えダンパ５３が給気状態であり後述する空気流路切り換え部３０が第１状態である場合、加湿ファン５４から吹き出された空気は、吸排気ダクト５８および空気流路切り換え部３０を経て吸排気ホース６ａ，６ｂを通って室内機２ａ，２ｂへと供給されるようになる。これにより、給気状態では、図１に示すＡ１方向に空気が流れ、室外空気が加湿され、または、加湿されずに吸排気ホース６ａ，６ｂを通って室内機２ａ，２ｂへと供給される。
【００８７】
排気状態では、加湿ファン５４によって、室内機２ａ，２ｂ側から加湿ユニット４側に向かう空気流が生成される。例えば、吸排気切り換えダンパ５３が排気状態であり後述する空気流路切り換え部３０が第１状態である場合、室内機２ａ，２ｂから取り込まれた部屋１ａ，１ｂ内の空気は、吸排気ホース６ａ，６ｂを経て空気流路切り換え部３０および吸排気ダクト５８を通って室外へと排気されるようになる。これにより、排気状態では、図１に示すＡ２方向に空気が流れ、室内機２ａ，２ｂから吸排気ホース６ａ，６ｂ、空気流路切り換え部３０および吸排気ダクト５８を通ってきた空気が、吸排気口７ｃを経て室外へと排気される。
【００８８】
また、加湿ユニット４は、空気流路切り換え部３０を備えている。空気流路切り換え部３０は、図１、図２および図７に示すように、吸排気ダクト５８および吸排気ホース６ａ，６ｂに接続されるスライド式の空気流路切り換え手段である。また、空気流路切り換え部３０は、加湿ユニットケーシング７内に収容されている。空気流路切り換え部３０は、図７（ａ）、図８（ａ）および図９（ａ）に示すように、切り換え部ケーシング３１と、仕切部３２とを有している。切り換え部ケーシング３１は、図７、図８および図９に示すように、第１切り換え部ケーシング３３と第２切り換え部ケーシング３４とから構成されている。第１切り換え部ケーシング３３は、図７、図８および図９における上側を意味する第１上部３３ａと、第１上部３３ａの縁から立設される第１側部３３ｂと、第１上部３３ａと略同一形状の第１下部３３ｃとから形成される略直方体形状の部材である。また、第１切り換え部ケーシング３３内には、仕切部３２が収容されている。さらに、第１切り換え部ケーシング３３の第１上部３３ａには、略中央部に第１開口３５ａが設けられており、一端部に第２開口３５ｂが設けられている。また、第１切り換え部ケーシング３３の第１下部３３ｃには、略中央部に第３開口３５ｃと第４開口３５ｄとが隣接して設けられている。なお、第３開口３５ｃには第１吸排気ホース６ａが接続されており、第４開口３５ｄには第２吸排気ホース６ｂが接続されている。また、第１側部３３ｂには接続口３５ｅが設けられており、第１切り換え部ケーシング３３は、接続口３５ｅを介して吸排気ダクト５８と接続されている。
【００８９】
第２切り換え部ケーシング３４は、楕円形の第２上部３４ａと、第２上部３４ａの縁から立設される第２側部３４ｂとから構成される略楕円柱形状であり、下側が開口した箱状の形態を有している。また、図７、図８および図９に示すように、第２上部３４ａは、第１上部３３ａの面積よりも小さい面積を有する。また、第２切り換え部ケーシング３４は、第１切り換え部ケーシング３３の第１開口３５ａおよび第２開口３５ｂを覆うように、第１上部３３ａの上側に配置される。このような構成によって、切り換え部ケーシング３１では、第１切り換え部ケーシング３３内部と第２切り換え部ケーシング３４内部とが、第１開口３５ａおよび第２開口３５ｂを介して連通している。
【００９０】
仕切部３２は、第３上部３２ａと、第３側部３２ｂと、第３下部３２ｃと、内壁部３６とから構成されており、略直方体形状を有している。第３上部３２ａは、長方形状の板状部材であり、略中央部に第５開口３６ａが設けられている。なお、第５開口３６ａの面積は、後述する第６開口３６ｂの面積および切り換え部ケーシング３１に設けられている第１開口３５ａの面積よりも大きい。また、第３側部３２ｂは、第３下部３２ｃの縁から第３上部３２ａの縁まで上方に延びている。さらに、第３下部３２ｃは、第３上部３２ａの面積よりも大きな面積を有する長方形状の板状部材であり、略中央部に第６開口３６ｂが設けられている。また、第６開口３６ｂの面積は、第１切り換え部ケーシング３３に設けられている第３開口３５ｃの面積と第４開口３５ｄの面積とを合わせた面積と同等程度の大きさである。内壁部３６は、第３下部３２ｃの第６開口３６ｂの周辺部から第３上部３２ａの第５開口３６ａの周辺部まで上方に延びる略楕円柱状の部材である。なお、仕切部３２は、第５開口３６ａが第１開口３５ａと対向し、第６開口３６ｂが少なくとも第３開口３５ｃまたは第４開口３５ｄのいずれか一方の開口と対向するように、第１切り換え部ケーシング３３内に収容される。また、本実施形態では、第５開口３６ａは、第１開口３５ａと常に対向するように形成されている。
【００９１】
また、空気流路切り換え部３０は、仕切部３２が第１切り換え部ケーシング３３内をスライド移動することによって、３つの状態（第１状態、第２状態および第３状態）に切り換わることが可能である。なお、仕切部３２のスライド移動は、仕切部駆動モータ４２（図１０参照）が駆動することによって行われる。以下、第１状態、第２状態および第３状態について図７、図８および図９を用いて説明する。
【００９２】
第１状態とは、図７に示すように、第１切り換え部ケーシング３３に設けられている第３開口３５ｃおよび第４開口３５ｄと対向する位置に、仕切部３２の第６開口３６ｂが配置されている状態である。このため、内壁部３６が、上側で第１開口３５ａと連通し、下側で第３開口３５ｃおよび第４開口３５ｄと連通することとで、第２切り換え部ケーシング３４と第１吸排気ホース６ａおよび第２吸排気ホース６ｂとを結ぶ。したがって、吸排気ダクト５８と、第１吸排気ホース６ａおよび第２吸排気ホース６ｂとが連通している状態になる。これによって、給気状態の場合には、図７（ｂ）に示すように、吸排気ダクト５８を通ってきた空気が、第１切り換え部ケーシング３３内部および第２切り換え部ケーシング３４内部を介して、第３開口３５ｃから第１吸排気ホース６ａに、第４開口３５ｄから第２吸排気ホース６ｂに流れる。また、排気状態の場合には、図７（ｃ）に示すように、第１吸排気ホース６ａを通ってきた空気は第３開口３５ｃを介して、第２吸排気ホース６ｂを通ってきた空気は第４開口３５ｄを介して、第２切り換え部ケーシング３４内部および第１切り換え部ケーシング３３内部を介して、吸排気ダクト５８へと流れる。
【００９３】
第２状態とは、図８に示すように、第１切り換え部ケーシング３３に設けられている第３開口３５ｃと対向する位置に、仕切部３２の第６開口３６ｂが配置されている状態となる。また、第４開口３５ｄは、仕切部３２の第３下部３２ｃによって遮蔽された状態となる。このため、内壁部３６が、上側で第１開口３５ａと連通し、下側で第３開口３５ｃと連通することで、第２切り換え部ケーシング３４内部と第１吸排気ホース６ａとを結ぶ。したがって、吸排気ダクト５８と、第１吸排気ホース６ａとが連通している状態となる。これによって、給気状態の場合には、図８（ｂ）に示すように、吸排気ダクト５８を通ってきた空気が、第１切り換え部ケーシング３３内部および第２切り換え部ケーシング３４内部を介して、第３開口３５ｃから第１吸排気ホース６ａに供給される。また、排気状態の場合には、図８（ｃ）に示すように、第１吸排気ホース６ａを通ってきた空気は、第３開口３５ｃを介して第２切り換え部ケーシング３４内部および第１切り換え部ケーシング３３内部を通って、吸排気ダクト５８へと流れる。
【００９４】
第３状態とは、図９に示すように、第１切り換え部ケーシング３３に設けられている第４開口３５ｄと対向する位置に、仕切部３２の第６開口３６ｂが配置されている状態である。また、第３開口３５ｃは、仕切部３２の第３下部３２ｃによって遮蔽された状態となる。このため、内壁部３６が、上側で第１開口３５ａと連通し、下側で第４開口３５ｄと連通することで、第２切り換え部ケーシング３４内部と第２吸排気ホース６ｂとを結ぶ。したがって、吸排気ダクト５８と、第２吸排気ホース６ｂとが連通している状態になる。これによって、給気状態の場合には、図９（ｂ）に示すように、吸排気ダクト５８からの空気が、第１切り換え部ケーシング３３内部および第２切り換え部ケーシング３４内部を介して、第４開口３５ｄから第２吸排気ホース６ｂに空気が供給される。また、排気状態の場合には、図９（ｃ）に示すように、第２吸排気ホース６ｂを通ってきた空気は、第４開口３５ｄを介して、第２切り換え部ケーシング３４内部および第１切り換え部ケーシング３３内部を通って、吸排気ダクト５８へと流れる。
【００９５】
また、仕切部駆動モータ４２（図１０参照）が仕切部３２の駆動を調整することによって、開口の開放状態を調節することができる。このため、例えば、給気状態の場合には、吸排気ホース６ａ，６ｂを流れる空気量を調整することができる。
【００９６】
＜制御部＞
この制御部６０は、図１０に示すように、室内機２ａ，２ｂ、室外空調ユニット５および加湿ユニット４の各種機器と接続されており、リモコン８０等を介した空調対象者からの運転指令に基づいて通常運転、加湿運転、給気運転および排気運転等の各運転モードに応じて各種機器の運転制御を行うことができる。
【００９７】
以下、各空調運転時の空気調和機１の運転動作について説明する。
【００９８】
＜空気調和機の運転動作＞
（１）通常運転
制御部６０は、リモートコントローラ（以下、リモコンという）８０から通常運転の指示を受けた場合、通常運転が行われるように、空気調和機１の運転制御を行う。
【００９９】
通常運転時には、圧縮機２１が駆動されるとともに、室外膨張弁２５ａ，２５ｂが所定の開度に絞られることによって、冷媒が冷媒回路を循環して室内熱交換器１１ａ，１１ｂが蒸発器または凝縮器として機能する。また、室内ファン１２ａ，１２ｂが駆動されることによって、空気取込口から室内機２ａ，２ｂ内に吸い込まれ、室内熱交換器１１ａ，１１ｂを通って、空気吹き出し口から部屋内に吹き出される空気の流れが生成される。これによって、部屋１ａ，１ｂ内の冷房または暖房を行うことができる。
【０１００】
（２）加湿運転
制御部６０は、リモコン８０からの加湿指令を受けた場合に、加湿運転が行われるように空気調和機１の運転制御を行う。なお、この加湿運転は、暖房運転とともに行われることも多い。また、第１室内機２ａおよび第２室内機２ｂの両方で加湿運転が行われる場合、制御部６０は、空気流路切り換え部３０が第１状態となるように、仕切部駆動モータ４２を駆動させる。また、第１室内機２ａのみで加湿運転が行われる場合、制御部６０は、空気流路切り換え部３０が第２状態となるように、仕切部駆動モータ４２を駆動させる。さらに、第２室内機２ｂのみで加湿運転が行われる場合、制御部６０は、空気流路切り換え部３０が第３状態となるように、仕切部駆動モータ４２を駆動させる。
【０１０１】
以下、第１室内機２ａおよび第２室内機２ｂの両方で加湿運転が行われる場合を例として説明する。
【０１０２】
制御部６０は、吸排気切り換えダンパ５３が給気状態に、空気流路切り換え部３０が第１状態に切り換わるように制御し、加湿ファン５４を回転させるモータおよび吸着用ファンモータ５９を駆動させる。また、制御部６０は、加熱装置５２が通電されるように制御する。
【０１０３】
吸着用ファンモータ５９が駆動されると、室外の空気が加湿ユニット４内に取り入れられ、室外へ排出される。すなわち、室外からの空気は、吸着用空気取込口７ｂから加湿ユニットケーシング７内に取り入れられる。加湿ユニットケーシング７内に入ってきた空気は、加湿ロータ５１のうちの加熱装置５２に対向しない部分を通過する。このとき、加湿ロータ５１は、加湿ロータ５１の吸着位置を通る空気から水分を吸着する。加湿ロータ５１を通過した空気は、下方に折り返され、吸着用空気吹き出し口７ａから室外機の外側へと排出される。
【０１０４】
一方、加湿ファン５４が駆動されると、室外の空気が加湿ユニット４内に取り込まれ、吸排気ホース６ａ，６ｂ、室内機２ａ，２ｂを通って、部屋１ａ，１ｂ内へ供給される。すなわち、室外の空気は、吸排気口７ｃから加湿ユニットケーシング７内に取り込まれ、加湿ロータ５１を下方から上方に向けて通過し、加熱装置５２において加熱された後に、加湿ロータ５１を上方から下方に通過する。このとき、加湿ロータ５１に吸着されていた水分が励起され、加湿ロータ５１から空気中に離脱していく。加湿ロータ５１を通過した空気は、加湿ファン５４、吸排気切り換えダンパ５３および空気流路切り換え部３０を通り、吸排気ホース６ａ，６ｂに送られる。吸排気ホース６ａ，６ｂに送られた空気は、室内熱交換器１１ａ，１１ｂを通過して、空気吹き出し口から部屋１ａ，１ｂ内へと吹き出される。この室内機２ａ，２ｂへと送られた空気は、加湿ロータ５１に吸着されていた水分を含むようになっており、これにより、無給水での部屋内の加湿が可能になっている。
【０１０５】
この加湿運転では、吸着ファン６１の回転によって外部から加湿ユニット４内に導入された空気中に含まれる水分を加湿ロータ５１に吸着させるとともに、加熱装置５２により加熱された空気を加湿ファン５４の回転によって加湿ロータ５１に通すことで、加湿ロータ５１から離脱した水分を含む空気を、吸排気ダクト５８、空気流路切り換え部３０および吸排気ホース６ａ，６ｂを介して室内機２ａ，２ｂへと供給している。
【０１０６】
（３）給気運転
制御部６０は、リモコン８０から給気運転の指示を受けた場合、給気運転が行われるように空気調和機１の運転制御を行う。
【０１０７】
給気運転が行われる場合には、吸着用ファンモータ５９が作動されず、また、加熱装置５２が通電されずに、上述の加湿運転と同様の動作が行われる。これにより、室外から取り入れられた空気が、加湿されずに上述と同様の経路を通って室内機２ａ，２ｂへと送られる。
【０１０８】
（４）排気運転
制御部６０は、リモコン８０からの排気運転の指示を受けた場合に、排気運転が行われるように空気調和機１の運転制御を行う。なお、第１室内機２ａよび第２室内機２ｂの両方で排気運転が行われる場合、制御部６０は、空気流路切り換え部３０が第１状態となるように、仕切部駆動モータ４２を駆動させる。また、第１室内機２ａのみで排気運転が行われる場合、制御部６０は、空気流路切り換え部３０が第２状態となるように、仕切部駆動モータ４２を駆動させる。さらに、第２室内機２ｂのみで排気運転が行われる場合、制御部６０は、空気流路切り換え部３０が第３状態となるように、仕切部駆動モータ４２を駆動させる。
【０１０９】
以下、第１室内機２ａおよび第２室内機２ｂの両方で排気運転が行われる場合を例として説明する。
【０１１０】
制御部６０は、吸排気切り換えダンパ５３が排気状態に、空気流路切り換え部３０が第１状態に切り換わるように制御し、加湿ファン５４を回転させるモータを駆動させる。なお、排気運転時には、吸着用ファンモータ５９は駆動されず、加熱装置５２は通電されない。
【０１１１】
加湿ファン５４が駆動されると、室内機２ａ，２ｂから取り込まれた部屋１ａ，１ｂ内の空気は、吸排気ホース６ａ，６ｂを経て加湿ユニット４の内部に取り込まれ、上述の加湿運転時とは逆方向に流れることにより室外へ排出される。すなわち、吸排気ダクト５８から加湿ユニット本体６の内部に取り込まれた空気は、空気流路切り換え部３０、吸排気切り換えダンパ５３、加湿ファン５４を通り、加湿ロータ５１を下方から上方に通過し、吸排気口７ｃから室外へと排出される。
【０１１２】
なお、本実施形態では、２つの部屋に対して、給気運転または排気運転が行われているが、２つ以上の複数の部屋に給気運転および排気運転が行われるように、空気流路切り換え部を構成してもよい。
【０１１３】
＜特徴＞
（１）
従来より、室外の空気を部屋内に供給する給気ユニットを備える空気調和機がある。例えば、特開２００６−１０３０７号公報に開示されている空気調和機では、加湿機能を有する給気ユニットを備えている。この空気調和機の備える給気ユニットは、室外の空気を加湿し、加湿した室外の空気を部屋内に供給することができる。これによって、この空気調和機では、部屋内を加湿することができる。
【０１１４】
しかしながら、この空気調和機は、１つの部屋に対して１台の給気ユニットが配備されるように構成されている。このため、複数の部屋内へ室外の空気を供給する場合、複数台の給気ユニットを配備しなければならないことになる。
【０１１５】
そこで、上記実施形態では、加湿ユニット４を有する１台の室外機３を備えている。加湿ユニット４は、吸排気ホース６ａ，６ｂを介して、室外から取り込まれた空気を室内機２ａ，２ｂに供給することができる。
【０１１６】
これによって、部屋１ａ，１ｂ内への給気を１台の室外機３によって実現することができている。
【０１１７】
また、室内機に対応する個数の加湿ユニットが不要であるため、製造コストや設置スペースを抑えることができている。
【０１１８】
（２）
上記実施形態では、空気流路切り換え部３０を備えている。空気流路切り換え部３０は、仕切部３２が第１切り換え部ケーシング３３内をスライド移動することによって、第１状態、第２状態および第３状態になることが可能である。第１状態では、第３開口３５ｃおよび第４開口３５ｄと対向する位置に第６開口３６ｂが配置されている。また、第２状態では、第３開口３５ｃと対向する位置に第６開口３６ｂが配置され、第４開口３５ｄが仕切部３２の第３下部３２ｃによって遮蔽されている。さらに、第３状態では、第４開口３５ｄと対向する位置に第６開口３６ｂが配置され、第３開口３５ｃは、仕切部３２の第３下部３２ｃによって遮蔽されている。このため、第１状態では、吸排気ダクト５８と、第１吸排気ホース６ａおよび第２吸排気ホース６ｂとが連通している状態になる。また、第２状態では、吸排気ダクト５８と、第１吸排気ホース６ａとが連通している状態となる。さらに、第３状態では、吸排気ダクト５８と、第２吸排気ホース６ｂとが連通している状態になる。
【０１１９】
これによって、吸排気ダクト５８と、第１吸排気ホース６ａまたは第２吸排気ホース６ｂの少なくともいずれか一方との連通状態を切り換えることができている。
【０１２０】
また、第１状態では、吸排気ダクト５８と、第１吸排気ホース６ａおよび第２吸排気ホース６ｂとが連通している状態になるため、部屋１ａ，１ｂ内へ同時に給気することができている。
【０１２１】
さらに、第１室内機２ａ内には第１室内熱交換器１１ａが収容されており、第２室内機２ｂ内には第２室内熱交換器１１ｂが収容されている。このため、第１吸排気ホース６ａまたは第２吸排気ホース６ｂを介してきた室外の空気が、それぞれの熱交換器１１ａ，１１ｂによって熱交換され、それぞれの部屋１ａ，１ｂ内へ給気される。したがって、例えば、第１室内機２ａの設定温度と第２室内機２ｂの設定温度とが異なっている場合でも、それぞれの室内機２ａ，２ｂにおいて設定されている設定温度に基づいて、それぞれの部屋内１ａ，１ｂから取り込まれた空気と室外の空気とから調和空気を生成し、それぞれの部屋１ａ，１ｂ内へ供給することができる。
【０１２２】
これによって、室外の空気を給気しつつ、それぞれの室内機２ａ，２ｂの設定条件に基づいた空気調和を行うことができる。
【０１２３】
（３）
上記実施形態では、加湿ユニット４は、吸排気ホース６ａ，６ｂを介して、室内機２ａ，２ｂから取り込まれた空気を室外へと排気することができる。このため、部屋１ａ，１ｂ内の空気を室外へと排気することができる。
【０１２４】
（４）
上記実施形態では、仕切部駆動モータ４２が仕切部３２の駆動を調整することによって、開口の開放状態を調節することができる。このため、例えば、給気状態の場合には、吸排気ホース６ａ，６ｂを流れる空気量を調整することができる。
【０１２５】
これによって、部屋１ａ，１ｂ内に供給される空気量を調整することができる。
【０１２６】
（５）
上記実施形態では、空気流路切り換え部３０は、加湿ユニットケーシング７内に収容されている。これによって、空気流路切り換え部３０を加湿ユニット４とは別に設置する作業をなくすことができている。
【０１２７】
（６）
上記実施形態では、加湿ユニット４は、吸排気ホース６ａ，６ｂを介して、室外から取り込まれた空気を加湿して室内機２ａ，２ｂへと供給することができる。
【０１２８】
これによって、部屋１ａ，１ｂ内に加湿空気を供給することができている。
【０１２９】
＜変形例＞
上記実施形態では、室外空調ユニット５および加湿ユニット４の電源を一元化している。そこで、上記実施形態に係る空気調和機において、室外空調ユニットおよび加湿ユニットに供給される電流量を監視できるように、制御部に電流検出回路を備えさせる。そして、室外空調ユニットおよび加湿ユニットに供給される最大電流量を、例えば、家庭用のブレーカー容量未満となるように設定することによって、室外空調ユニットおよび加湿ユニットに供給される電流量を調整することができる。
【０１３０】
これによって、家庭用のブレーカー容量以下に電流量を抑えることができる。
【０１３１】
−第２実施形態−
＜空気調和機の構成＞
本発明の第２実施形態に係る空気調和機１００について説明する。なお、この空気調和機１００において、室内機の構成、室外空調ユニットの構成、加湿ユニット本体の構成は、第１実施形態と同様の構成であるため、説明を省略する。
【０１３２】
この空気調和機１００は、図１１に示すように、１台の室外機１０３と、２台の室内機１０２ａ，１０２ｂとが冷媒配管によって並列に接続されているマルチタイプの空気調和機である。また、加湿ユニット１０４と室内機１０２ａ，１０２ｂとの間には、加湿ユニット１０４の内部空間と室内機１０２ａ，１０２ｂの内部空間と連通させることが可能な吸排気ホース１０６ａ，１０６ｂが設けられている。なお、吸排気ホース１０６ａ，１０６ｂは、室外に配置される室外ダクト１０８ａ，１０８ｂと、屋内に配置される室内ダクト１０９ａ，１０９ｂとから構成されている。
【０１３３】
＜加湿ユニットケーシング＞
加湿ユニットケーシング１０７は、図１１に示すように、加湿ロータ１５１、加熱装置１５２、加湿ファン１５４、吸排気切り換えダンパ１５３および吸着用送風装置１５５等を収納している。
【０１３４】
加湿ユニットケーシング１０７の前面には、複数のスリット状の開口からなる吸着用空気吹き出し口１０７ａが設けられている。また、加湿ユニットケーシング１０７の背面には、吸着用空気取込口１０７ｂおよび吸排気口１０７ｃが設けられている。吸着用空気取込口１０７ｂは、加湿ロータ１５１に水分を吸着させるために室外から取り込まれる空気が通る開口である。吸排気口１０７ｃは、吸気運転および加湿運転時に、室外から加湿ユニット１０４内に取り込まれ室内機１０２ａ，１０２ｂに送られる空気が通る開口である。また、吸排気口１０７ｃは、排気運転時に、室内機１０２ａ，１０２ｂから取り込まれ加湿ユニット１０４内から室外へと排気される空気が通る開口である。また、加湿ユニットケーシング１０７には、ダクト接続口が設けられており、吸排気ダクト１５８は、ダクト接続口を介して加湿ユニットケーシング１０７の内側から加湿ユニットケーシング１０７の外側に延びる。なお、吸排気ダクト１５８に適用されている配管の管径は、吸排気ホース１０６ａ，１０６ｂに適用されている配管の管径よりも大きい。
【０１３５】
＜空気流路切り換え部の構成＞
空気流路切り換え部１３０は、図１１、図１２および図１３に示すように、吸排気ダクト１５８および吸排気ホース１０６ａ，１０６ｂに接続される回転式の空気流路切り換え手段である。また、空気流路切り換え部１３０は、図１１および図１２に示すように、加湿ユニットケーシング１０７の外側に配置されている。
【０１３６】
空気流路切り換え部１３０は、図１３、図１４および図１５に示すように、切り換え部ケーシング１３１と、ダンパ１３２と、ダンパ駆動モータ１４２（図１６参照）とを有している。切り換え部ケーシング１３１は、第１切り換え部ケーシング１３３と第２切り換え部ケーシング１３４とから構成されている。第１切り換え部ケーシング１３３は、図１３（ｂ），（ｃ）、図１４（ｂ），（ｃ）および図１５（ｂ），（ｃ）に示すように、略円筒形状を有しており、上側および下側が開口している。なお、本実施形態における「上下」は、図１３（ｂ），（ｃ）、図１４（ｂ），（ｃ）および図１５（ｂ），（ｃ）における上下を意味している。また、第２切り換え部ケーシング１３４は、略円形状の部材であり、その面積は第１切り換え部ケーシング１３３の下側の開口の面積と略同一である。また、第２切り換え部ケーシング１３４には、第１開口１３５ａと第２開口１３５ｂとが設けられている。なお、第１開口１３５ａの面積と第２開口１３５ｂの面積とは同一である。また、第１開口１３５ａおよび第２開口１３５ｂの面積は、第１切り換え部ケーシング１３３の上側の開口の面積よりも小さい。さらに、第１開口１３５ａの周辺部から下方に第１接続部が延びており、第２開口１３５ｂの周辺部から下方に第２接続部が延びている。また、切り換え部ケーシング１３１は、上側の開口を介して吸排気ダクト１５８と接続されており、下側の第１開口１３５ａを介して第１吸排気ホース１０６ａと接続されており、第２開口１３５ｂを介して第２吸排気ホース１０６ｂと接続されている。
【０１３７】
ダンパ１３２は、略半円形状の板状部材であり、第２切り換え部ケーシング１３４に回転可能に取り付けられている。なお、ダンパ１３２の回転は、ダンパ駆動モータ１４２（図１６参照）が駆動することによって行われる。
【０１３８】
また、空気流路切り換え部１３０は、ダンパ１３２が回転することによって、３つの状態（第１状態、第２状態および第３状態）に切り換わることが可能である。以下、第１状態、第２状態および第３状態について図１３、図１４および図１５を用いて説明する。
【０１３９】
第１状態とは、図１３（ａ）に示すように、第２切り換え部ケーシング１３４に設けられている第１開口１３５ａおよび第２開口１３５ｂを開放するように、ダンパ１３２が配置されている状態である。このため、切り換え部ケーシング１３１は、上側で吸排気ダクト１５８と結ばれており、下側で第１開口１３５ａおよび第２開口１３５ｂと連通することで第２切り換え部ケーシング１３４と第１吸排気ホース１０６ａおよび第２吸排気ホース１０６ｂとが結ばれている。したがって、吸排気ダクト１５８と、第１吸排気ホース１０６ａおよび第２吸排気ホース１０６ｂとが連通している状態になる。これによって、給気状態の場合には、図１３（ｂ）に示すように、吸排気ダクト１５８を通ってきた空気が、切り換え部ケーシング１３１内部を介して、第１開口１３５ａから第１吸排気ホース１０６ａに、第２開口１３５ｂから第２吸排気ホース１０６ｂに流れる。また、排気状態の場合には、図１３（ｃ）に示すように、第１吸排気ホース１０６ａを通ってきた空気は第１開口１３５ａを介して、第２吸排気ホース１０６ｂを通ってきた空気は第２開口１３５ｂを介して、切り換え部ケーシング１３１内部を通って、吸排気ダクト１５８へと流れる。
【０１４０】
第２状態とは、図１４（ａ）に示すように、第２切り換え部ケーシング１３４に設けられている第２開口１３５ｂを覆うように、ダンパ１３２が配置されている状態である。また、第１開口１３５ａは、開放された状態となる。このため、切り換え部ケーシング１３１は、上側で吸排気ダクト１５８と結ばれており、下側で第１開口１３５ａと連通することで第２切り換え部ケーシング１３４と第１吸排気ホース１０６ａとが結ばれている。したがって、吸排気ダクト１５８と、第１吸排気ホース１０６ａとが連通している状態になる。これによって、給気状態の場合には、図１４（ｂ）に示すように、吸排気ダクト１５８を通ってきた空気が、切り換え部ケーシング１３１内部を介して、第１開口１３５ａから第１吸排気ホース１０６ａに流れる。また、排気状態の場合には、図１４（ｃ）に示すように、第１吸排気ホース１０６ａを通ってきた空気は第１開口１３５ａを介して、切り換え部ケーシング１３１内部を通って、吸排気ダクト１５８へと流れる。
【０１４１】
第３状態とは、図１５（ａ）に示すように、第２切り換え部ケーシング１３４に設けられている第１開口１３５ａを覆うように、ダンパ１３２が配置されている状態である。また、第２開口１３５ｂは、開放された状態となる。このため、切り換え部ケーシング１３１は、上側で吸排気ダクト１５８と結ばれており、下側で第２開口１３５ｂと連通することで第２切り換え部ケーシング１３４と第２吸排気ホース１０６ｂとが結ばれている。したがって、吸排気ダクト１５８と、第２吸排気ホース１０６ｂとが連通している状態になる。これによって、給気状態の場合には、図１５（ｂ）に示すように、吸排気ダクト１５８を通ってきた空気が、切り換え部ケーシング１３１内部を介して、第２開口１３５ｂから第２吸排気ホース１０６ｂに流れる。また、排気状態の場合には、図１５（ｃ）に示すように、第２吸排気ホース１０６ｂを通ってきた空気は第２開口１３５ｂを介して、切り換え部ケーシング１３１内部を通って、吸排気ダクト１５８へと流れる。
【０１４２】
また、ダンパ駆動モータ１４２（図１６参照）がダンパ１３２の駆動を調整することによって、開口１３５ａ，１３５ｂの開放状態を調節することができる。このため、例えば、給気状態の場合には、吸排気ホース１０６ａ，１０６ｂを流れる空気量を調整することができる。
【０１４３】
＜制御部＞
この制御部１６０は、図１６に示すように、室内機１０２ａ，１０２ｂ、室外空調ユニット１０５および加湿ユニット１０４の各種機器と接続されており、リモコン１８０等を介した空調対象者からの運転指令に基づいて通常運転、加湿運転、給気運転および排気運転等の各運転モードに応じて各種機器の運転制御を行うことができる。
【０１４４】
以下、各空調運転時の空気調和機１００の運転動作について説明する。
【０１４５】
＜空気調和機の運転動作＞
（１）通常運転
制御部１６０は、リモコン１８０から通常運転の指示を受けた場合、通常運転が行われるように、空気調和機１００の運転制御を行う。
【０１４６】
通常運転時には、圧縮機１２１が駆動されるとともに、室外膨張弁１２５ａ，１２５ｂが所定の開度に絞られることによって、冷媒が冷媒回路を循環して室内熱交換器１１１ａ，１１１ｂが蒸発器または凝縮器として機能する。また、室内ファン１１２ａ，１１２ｂが駆動されることによって、空気取込口から室内機１０２ａ，１０２ｂ内に吸い込まれ、室内熱交換器１１１ａ，１１１ｂを通って、空気吹き出し口から部屋内に吹き出される空気の流れが生成される。これによって、部屋１０１ａ，１０１ｂ内の冷房または暖房を行うことができる。
【０１４７】
（２）加湿運転
制御部１６０は、リモコン１８０からの加湿指令を受けた場合に、加湿運転が行われるように空気調和機１００の運転制御を行う。なお、この加湿運転は、暖房運転とともに行われることも多い。また、第１室内機１０２ａおよび第２室内機１０２ｂの両方で加湿運転が行われる場合、制御部１６０は、空気流路切り換え部１３０が第１状態となるように、ダンパ駆動モータ１４２を駆動させる。また、第１室内機１０２ａのみで加湿運転が行われる場合、制御部１６０は、空気流路切り換え部１３０が第２状態となるように、ダンパ駆動モータ１４２を駆動させる。さらに、第２室内機１０２ｂのみで加湿運転が行われる場合、制御部１６０は、空気流路切り換え部１３０が第３状態となるように、ダンパ駆動モータ１４２を駆動させる。
【０１４８】
以下、第１室内機１０２ａおよび第２室内機１０２ｂの両方で加湿運転が行われる場合を例として説明する。
【０１４９】
制御部１６０は、吸排気切り換えダンパ１５３が給気状態に、空気流路切り換え部１３０が第１状態に切り換わるように制御し、加湿ファン１５４を回転させるモータおよび吸着用ファンモータ１５９を駆動させる。また、制御部１６０は、加熱装置１５２が通電されるように制御する。
【０１５０】
吸着用ファンモータ１５９が駆動されると、室外の空気が加湿ユニット１０４内に取り入れられ、室外へ排出される。すなわち、室外からの空気は、吸着用空気取込口１０７ｂから加湿ユニットケーシング１０７内に取り入れられる。加湿ユニットケーシング１０７内に入ってきた空気は、加湿ロータ１５１のうちの加熱装置１５２に対向しない部分を通過する。このとき、加湿ロータ１５１は、加湿ロータ１５１の吸着位置を通る空気から水分を吸着する。加湿ロータ１５１を通過した空気は、下方に折り返され、吸着用空気吹き出し口１０７ａから室外機の外側へと排出される。
【０１５１】
一方、加湿ファン１５４が駆動されると、室外の空気が加湿ユニット１０４内に取り込まれ、吸排気ホース１０６ａ，１０６ｂ、室内機１０２ａ，１０２ｂを通って、部屋１０１ａ，１０１ｂ内へ供給される。すなわち、室外の空気は、吸排気口１０７ｃから加湿ユニットケーシング１０７内に取り込まれ、加湿ロータ１５１を下方から上方に向けて通過し、加熱装置１５２において加熱された後に、加湿ロータ１５１を上方から下方に通過する。このとき、加湿ロータ１５１に吸着されていた水分が励起され、加湿ロータ１５１から空気中に離脱していく。加湿ロータ１５１を通過した空気は、加湿ファン１５４、吸排気切り換えダンパ１５３および空気流路切り換え部１３０を通り、吸排気ホース１０６ａ，１０６ｂに送られる。吸排気ホース１０６ａ，１０６ｂに送られた空気は、室内熱交換器１１１ａ，１１１ｂを通過して、空気吹き出し口から部屋１０１ａ，１０１ｂ内へと吹き出される。この室内機１０２ａ，１０２ｂへと送られた空気は、加湿ロータ１５１に吸着されていた水分を含むようになっており、これにより、無給水での部屋内の加湿が可能になっている。
【０１５２】
この加湿運転では、吸着ファン１６１の回転によって外部から加湿ユニット１０４内に導入された空気中に含まれる水分を加湿ロータ１５１に吸着させるとともに、加熱装置１５２により加熱された空気を加湿ファン１５４の回転によって加湿ロータ１５１に通すことで、加湿ロータ１５１から離脱した水分を含む空気を、吸排気ダクト１５８、空気流路切り換え部１３０および吸排気ホース１０６ａ，１０６ｂを介して室内機１０２ａ，１０２ｂへと供給している。
【０１５３】
（３）給気運転
制御部１６０は、リモコン１８０から給気運転の指示を受けた場合、給気運転が行われるように空気調和機１００の運転制御を行う。
【０１５４】
給気運転が行われる場合には、吸着用ファンモータ１５９が作動されず、また、加熱装置１５２が通電されずに、上述の加湿運転と同様の動作が行われる。これにより、室外から取り入れられた空気が、加湿されずに上述と同様の経路を通って室内機１０２ａ，１０２ｂへと送られる。
【０１５５】
（４）排気運転
制御部１６０は、リモコン１８０からの排気運転の指示を受けた場合に、排気運転が行われるように空気調和機１００の運転制御を行う。なお、第１室内機１０２ａよび第２室内機１０２ｂの両方で排気運転が行われる場合、制御部１６０は、空気流路切り換え部１３０が第１状態となるように、ダンパ駆動モータ１４２を駆動させる。また、第１室内機１０２ａのみで排気運転が行われる場合、制御部１６０は、空気流路切り換え部１３０が第２状態となるように、ダンパ駆動モータ１４２を駆動させる。さらに、第２室内機１０２ｂのみで排気運転が行われる場合、制御部１６０は、空気流路切り換え部１３０が第３状態となるように、ダンパ駆動モータ１４２を駆動させる。
【０１５６】
以下、第１室内機１０２ａおよび第２室内機２ｂの両方で排気運転が行われる場合を例として説明する。
【０１５７】
制御部１６０は、吸排気切り換えダンパ１５３が排気状態に、空気流路切り換え部１３０が第１状態に切り換わるように制御し、加湿ファン１５４を回転させるモータを駆動させる。なお、排気運転時には、吸着用ファンモータ１５９は駆動されず、加熱装置１５２は通電されない。
【０１５８】
加湿ファン１５４が駆動されると、室内機１０２ａ，１０２ｂから取り込まれた部屋１０１ａ，１０１ｂ内の空気は、吸排気ホース１０６ａ，１０６ｂを経て加湿ユニット１０４の内部に取り込まれ、上述の加湿運転時とは逆方向に流れることにより室外へ排出される。すなわち、吸排気ダクト１５８から加湿ユニット本体１０６の内部に取り込まれた空気は、空気流路切り換え部１３０、吸排気切り換えダンパ１５３、加湿ファン１５４を通り、加湿ロータ１５１を下方から上方に通過し、吸排気口１０７ｃから室外へと排出される。
【０１５９】
なお、本実施形態では、２つの部屋１０１ａ，１０１ｂに対して、給気運転または排気運転が行われているが、２つ以上の複数の部屋に給気運転および排気運転が行われるように、空気流路切り換え部を構成してもよい。
【０１６０】
＜特徴＞
（１）
上記実施形態では、空気流路切り換え部１３０は、加湿ユニットケーシング１０７の外側に配置されている。このため、空気流路切り換え部１３０が加湿ユニットケーシング１０７内に配置される場合と比較して、加湿ユニット１０４のサイズを小さくすることができる。
【０１６１】
これによって、室外機１０３のサイズを小さくすることができている。
【０１６２】
（２）
上記実施形態では、吸排気ダクト１５８には、吸排気ホース１０６ａ，１０６ｂに適用されている配管の管径よりも大きい管径の配管が適用されている。このため、吸排気ダクト１５８における圧力損失を抑えることができる。
【０１６３】
また、加湿運転時には、吸排気ダクト１５８内を加湿空気が通ることになる。この空気調和機１００では、吸排気ダクト１５８における圧力損失が低減されているため、加湿空気が吸排気ダクト１５８内で結露し難くすることができている。
【０１６４】
−第３実施形態−
＜空気調和機の構成＞
本発明の第３実施形態に係る空気調和機２０１について説明する。なお、この空気調和機２０１において、室内機の構成、および、室外空調ユニットの構成は、第１実施形態と同様であるため、説明を省略する。
【０１６５】
この空気調和機２０１は、図１７に示すように、１台の室外機２０３と、２台の室内機２０２ａ，２０２ｂとが冷媒配管によって並列に接続されているマルチタイプの空気調和機である。この空気調和機２０１は、冷房運転、暖房運転、除湿運転、加湿運転、給気運転および排気運転等の運転を行うことができる。室外機２０３は、室外熱交換器２２４や室外ファン２２９などを内部に収容する室外空調ユニット２０４と、加湿ユニット２０５とを備えている。室内機２０２ａ，２０２ｂの内部には室内熱交換器２１１ａ，２１１ｂおよび室内ファン２１２ａ，２１２ｂ等が収容されている。また、加湿ユニット２０５と室内機２０２ａ，２０２ｂとの間には、加湿ユニット２０５の内部空間と室内機２０２ａ，２０２ｂの内部空間と連通させることが可能な吸排気ダクト２０６が設けられている。吸排気ダクト２０６は、主に、屋内に配置される室内ダクト２０９ａ，２０９ｂと、加湿ユニット２０５内に配置される加湿ダクト２５８と、室内ダクト２０９ａ，２０９ｂと加湿ダクト２５８とを接続している室外ダクト２０８ａ，２０８ｂとから構成されている。
【０１６６】
以下、空気調和機２０１の備える加湿ユニット２０５について説明する。
【０１６７】
加湿ユニット２０５は、図１７および図１８に示すように、室外空調ユニット２０４の上側、すなわち、室外機２０３の上部に配置されている。また、加湿ユニット２０５は、部屋２０１ａ，２０１ｂ内から取り込まれた空気を室外へと排気したり、室外から取り込まれた空気を部屋２０１ａ，２０１ｂ内へと供給したりすることができる。また、室外から取り込まれた空気を加湿して部屋２０１ａ，２０１ｂ内へと供給することもできる。
【０１６８】
また、加湿ユニット２０５は、図１７および図１９に示すように、加湿ユニットケーシング２０７と、加湿ユニット本体２０５ａとを備えている。また、加湿ユニット本体２０５ａは、加湿ロータ２５１、加熱装置２５２、吸排気切り換えダンパ２５３、吸排気ファン２５４、吸着用送風装置２５５および空気流路切り換え部２３０等を備えている。
【０１６９】
加湿ユニットケーシング２０７は、図１９に示すように、加湿ロータ２５１、加熱装置２５２、吸排気ファン２５４、吸排気切り換えダンパ２５３、吸着用送風装置２５５および空気流路切り換え部２３０等を収納している。
【０１７０】
加湿ユニットケーシング２０７の前面には、図１７および図１９に示すように、複数のスリット状の開口からなる吸着用空気吹き出し口２０７ａが設けられている。また、加湿ユニットケーシング２０７の背面には、吸着用空気取込口２０７ｂおよび吸排気口２０７ｃが設けられている。吸着用空気取込口２０７ｂは、加湿ロータ２５１に水分を吸着させるために室外から取り込まれる空気が通る開口である。吸排気口２０７ｃは、給気運転および加湿運転時に、室外から加湿ユニット２０５内に取り込まれ室内機２０２ａ，２０２ｂに送られる空気が通る開口である。また、吸排気口２０７ｃは、排気運転時に、室内機２０２ａ，２０２ｂから取り込まれ加湿ユニット２０５内から室外へと排気される空気が通る開口である。
【０１７１】
加湿ロータ２５１は、ハニカム構造のセラミックロータであり、概ね円盤形状の外形を有している。また、加湿ロータ２５１は、回転可能に設けられており、ロータ駆動用モータによって回転駆動される。さらに、加湿ロータ２５１の主たる部分は、ゼオライト等の吸着剤から焼成されている。
【０１７２】
加熱装置２５２は、加湿ロータ２５１の上方に位置しており、加湿ロータ２５１に対向して配置されている。また、加熱装置２５２は、加湿ロータ２５１へ送られる空気を加熱することにより、加湿ロータ２５１を加熱することができる。
【０１７３】
吸排気ファン２５４は、加湿ロータ２５１の側方に配置されており、室外から取り込まれ室内機２０２ａ，２０２ｂへと送られる空気の流れを生成するラジカルファン組立体である。吸排気ファン２５４は、吸排気口２０７ｃから加湿ロータ２５１および吸排気切り換えダンパ２５３を経て部屋２０１ａ，２０１ｂ内へと到る空気の流れを生成して、室外から取り入れた空気を室内機２０２ａ，２０２ｂへと送ることができる。また、吸排気ファン２５４は、室内機２０２ａ，２０２ｂから取り入れた部屋２０１ａ，２０１ｂ内の空気を室外へと排出することもできる。このように、吸排気ファン２５４は、吸排気口２０７ｃを介して室外から取り入れた空気を室内機２０２ａ，２０２ｂへと搬送したり、室内機２０２ａ，２０２ｂから取り入れた部屋２０１ａ，２０１ｂ内の空気を室外へと搬送したりすることができる。なお、吸排気ファン２５４は、吸排気切り換えダンパ２５３が切り換わることによって、これらの動作を切り換える。
【０１７４】
例えば、吸排気ファン２５４は、室外から取り入れた空気を第１室内機２０２ａまたは第２室内機２０２ｂへと送る場合、図１７に示すように、加湿ロータ２５１のうちの加熱装置２５２と対向する部分を通過した空気を、吸排気切り換えダンパ２５３、および、空気流路切り換え部２３０を経て第１室外ダクト２０８ａまたは第２室外ダクト２０８ｂへと送り出す。
【０１７５】
加湿ダクト２５８は、図１７に示すように、その内部空間が吸排気口２０７ｃを介して加湿ユニットケーシング２０７の外部空間と連通している。また、加湿ダクト２５８は、上述のように、室外ダクト２０８ａ，２０８ｂに接続されている。このため、吸排気ファン２５４が回転することで、加湿ダクト２５８の内部空間を流れる室外空気を、室外ダクト２０８ａ，２０８ｂを介して室内機２０２ａ，２０２ｂへと供給ことができる。また、室外ダクト２０８ａ，２０８ｂを通って室内機２０２ａ，２０２ｂへ送られる空気は、室内機２０２ａ，２０２ｂ内部において室内熱交換器２１１ａ，２１１ｂの表面に吹き出される。
【０１７６】
また、吸排気ファン２５４は、室内機２０２ａ，２０２ｂから取り入れた部屋２０１ａ，２０１ｂ内の空気を室外へと排出する場合には、室外ダクト２０８ａ，２０８ｂおよび加湿ダクト２５８を通ってきた部屋２０１ａ，２０１ｂ内の空気を吸排気口２０７ｃから室外へと排出する。
【０１７７】
吸着用送風装置２５５は、吸着用ファンモータ２５９ｂと、吸着用ファンモータ２５９ｂによって回転駆動される吸着ファン２５９ａとを有し、加湿ロータ２５１のうちの加熱装置２５２と対向しない部分を通過する空気の流れを生成する。すなわち、吸着用送風装置２５５は、吸着用空気取込口２０７ｂから吸い込まれ、加湿ロータ２５１のうちの加熱装置２５２と対向しない部分を通過し、ベルマウス２５９ｃの開口を通り、吸着用空気吹き出し口２０７ａから室外へ排出される空気の流れを生成する。
【０１７８】
吸排気切り換えダンパ２５３は、吸排気ダンパと、吸排気ダンパを回転させるためのダンパ駆動用モータ２５３ａ（図３７参照）とを含む、回転式の空気流路切り換え手段である。また、吸排気切り換えダンパ２５３は、吸排気ファン２５４の下方に配置される。さらに、吸排気切り換えダンパ２５３では、吸排気ダンパ駆動用モータ２５３ａが吸排気ダンパを回転させることで、給気状態と排気状態とが切り換えられる。
【０１７９】
給気状態では、吸排気ファン２５４によって、加湿ユニット２０５側から室内機２０２ａ，２０２ｂ側に向かう空気流が生成される。例えば、吸排気切り換えダンパ２５３が給気状態であり空気流路切り換え部２３０が第１状態である場合、吸排気ファン２５４から吹き出された空気は、加湿ダクト２５８を経て第１室外ダクト２０８ａを通って第１室内機２０２ａへと供給されるようになる。このため、吸排気切り換えダンパ２５３が給気状態であり、かつ、空気流路切り換え部２３０が第１状態である場合、図１７に示すＡ３方向に空気が流れ、室外空気が加湿され、または、加湿されずに第１室外ダクト２０８ａを通って第１室内機２０２ａへと供給される。
【０１８０】
また、例えば、吸排気切り換えダンパ２５３が給気状態であり空気流路切り換え部２３０が第２状態である場合、吸排気ファン２５４から吹き出された空気は、加湿ダクト２５８を経て第２室外ダクト２０８ｂを通って第２室内機２０２ｂへと供給されるようになる。このため、吸排気切り換えダンパ２５３が給気状態であり、かつ、空気流路切り換え部２３０が第２状態である場合、図１７に示すＡ４方向に空気が流れ、室外空気が加湿され、または、加湿されずに第２室外ダクト２０８ｂを通って第２室内機２０２ｂへと供給される。
【０１８１】
排気状態では、吸排気ファン２５４によって、室内機２０２ａ，２０２ｂ側から加湿ユニット２０５側に向かう空気流が生成される。例えば、吸排気切り換えダンパ２５３が排気状態であり空気流路切り換え部２３０が第１状態である場合、吸排気ファン２５４が回転することによって、第１室内機２０２ａから取り込まれた第１部屋２０１ａ内の空気は、第１室外ダクト２０８ａを経て加湿ダクト２５８を通って室外へと排気されるようになる。このため、吸排気切り換えダンパ２５３が排気状態であり、かつ、空気流路切り換え部２３０が第１状態である場合、図１７に示すＡ５方向に空気が流れ、第１室内機２０２ａから第１室外ダクト２０８ａおよび加湿ダクト２５８を通ってきた空気が、吸排気口２０７ｃを介して室外へと排気される。
【０１８２】
また、例えば、吸排気切り換えダンパ２５３が排気状態であり空気流路切り換え部２３０が第２状態である場合、第２室内機２０２ｂから取り込まれた第２部屋２０１ｂ内の空気は、第２室外ダクト２０８ｂを経て加湿ダクト２５８を通って室外へと排気されるようになる。このため、吸排気切り換えダンパ２５３が排気状態であり、かつ、空気流路切り換え部２３０が第２状態である場合、図１７に示すＡ６方向に空気が流れ、第２室内機２０２ｂから第２室外ダクト２０８ｂおよび加湿ダクト２５８を通ってきた空気が、吸排気口２０７ｃを介して室外へと排気される。
【０１８３】
空気流路切り換え部２３０は、図１７、図１８および図１９に示すように、加湿ユニット２０５内に収納されている空気流路切り換え手段である。以下、空気流路切り換え部２３０の構成について説明する。
【０１８４】
＜空気流路切り換え部の構成＞
空気流路切り換え部２３０は、後述する下部ケーシング２３２に形成されている開口２３６，２３７を開閉することで、加湿ユニット２０５と第１室内機２０２ａとの間に形成される空気流路、すなわち、加湿ダクト２５８、第１室外ダクト２０８ａおよび第１室内ダクト２０９ａを流れる空気の流通、および、加湿ユニット２０５と第２室内機２０２ｂとの間に形成される空気流路、すなわち、加湿ダクト２５８、第２室外ダクト２０８ｂおよび第２室内ダクト２０９ｂを流れる空気の流通を遮蔽したり開放したりする。また、空気流路切り換え部２３０は、加湿ダクト２５８の一部である切換部ケーシング２３３と、遮蔽部２４０を備えている。
【０１８５】
切換部ケーシング２３３は、吸排気ファン２５４を内部に収納している。また、切換部ケーシング２３３は、図１９および図２０に示すように、主に、上部ケーシング２３１と下部ケーシング２３２とから構成されている。
【０１８６】
上部ケーシング２３１には、後述する遮蔽部２４０のシャフト２４７，２９７が挿通可能な開口２３１ａ，２３１ｂが形成されている。また、切換部ケーシング２３３と遮蔽部２４０とが組み合わされた場合、上部ケーシング２３１の上側には、開口２３１ａ，２３１ｂを覆うように取付板２８２が取り付けられる。
【０１８７】
下部ケーシング２３２には、吸排気ファン２５４が空気を吸い込むための開口２３４と、室外ダクト２０８ａ，２０８ｂに接続される２つの開口２３６，２３７とが形成されている。なお、下部ケーシング２３２の開口２３６，２３７は、下部ケーシング２３２と上部ケーシング２３１とが組み合わせられたときに、上部ケーシング２３１の開口２３１ａ，２３１ｂと対向する位置に設けられている。
【０１８８】
このような構成によって、図２０に示すように、切換部ケーシング２３３の内部空間と第１室外ダクト２０８ａの内部空間とは開口２３６を介して連通しており、切換部ケーシング２３３内部空間と第２室外ダクト２０８ｂの内部空間とは開口２３７を介して連通している。このため、上部ケーシング２３１と下部ケーシング２３２とが組み合わされて接合されることで、吸排気ファン２５４から流れてきた空気が、切換部ケーシング２３３の内部から開口２３６，２３７を介してそれぞれの室外ダクト２０８ａ，２０８ｂに流れる。なお、切換部ケーシング２３３は、室外から部屋２０１ａ，２０１ｂ内または部屋２０１ａ，２０１ｂ内から室外に流れる空気が通る加湿ダクト２５８の一部である。したがって、切換部ケーシング２３３内部を流れる空気は、吸排気ファン２５４によって、室外から部屋２０１ａ，２０１ｂ内に、または、部屋２０１ａ，２０１ｂ内から室外に搬送される。
【０１８９】
遮蔽部２４０は、図２１に示すように、主に、１つのモータ２７１ａを有する駆動部２７１と、駆動部２７１によって回転駆動される２つの円筒状カム２４２，２９２と、２つの弁体２４３，２９３とを備えている。駆動部２７１は、モータ２７１ａと、モータ２７１ａの回転力を円筒状カム２４２，２９２の有する被駆動歯車２４６ａ，２９６ａに伝達するためのギア群２７０とを有している。円筒状カム２４２，２９２は、円筒カム部２４１，２９１と、ガイド板２４５，２９５とを有している。弁体２４３，２９３は、シャフト２４７，２９７と、押え板２４８，２９８と、パッキン２４９，２９９とを有している。以下、遮蔽部２４０の備える各構成部品について説明する。
【０１９０】
（１）円筒状カム
遮蔽部２４０は、上述のように、２つの円筒状カム２４２，２９２を備えており、円筒状カム２４２，２９２は、モータ２７１ａから伝わる回転力を直線移動力に変換して弁体２４３，２９３に伝達することで、弁体２４３，２９３を直線的に移動させることができる。また、円筒状カム２４２，２９２は、円筒カム部２４１，２９１と、ガイド板２４５，２９５とを有している。なお、本実施形態では、２つの円筒状カム２４２，２９２の構成は同様であるため、ここでは、円筒状カム２４２の構成についてのみ説明を行い、円筒状カム２９２については、円筒状カム２４２の構成部品に付される２４０番台の符号を２９０番台に読み替えることによって、説明を省略する。
【０１９１】
ガイド板２４５は、図２１に示すように、その中心に孔２４５ａが形成されている略円筒形状の部材である。また、孔２４５ａには後述するシャフト２４７の一端部が挿通されており、ガイド板２４５は、Ｅリング２４１ｂ，２４１ｉによってシャフト２４７に取り付けられている。このため、ガイド板２４５は、シャフト２４７の軸方向への移動、すなわち、上下方向への移動が規制されている。また、ガイド板２４５には、その外周面から外側方向に向かって突出する突出部２４５ｂが設けられている。さらに、ガイド板２４５は、突出部２４５ｂが後述するギア側カム面２４６ｄと駆動カム側カム面２４４ｄとの間に挟まれるように、円筒カム部２４１の内側に配置される。
【０１９２】
円筒カム部２４１は、両端に開口を有する略円筒形状の駆動カム２４４と、駆動カム２４４の内側に嵌め込まれるギア２４６とが組み合わされて構成されている。
【０１９３】
ギア２４６は、図２１および図２２に示すように、円盤形状の板状部材である円板部２４６ｂと、円板部２４６ｂの縁部から立設されるギア側カム部２４６ｃとを含む。ギア側カム部２４６ｃは、その上端部にギア側カム面２４６ｄを有している。ギア側カム面２４６ｄは、ギア側カム部２４６ｃを平面上に展開した状態で示す平面展開図である図２３（ｂ）に示すように、水平に延びる底面部２４６ｅと、水平に延びる上面部２４６ｈと、底面部２４６ｅと上面部２４６ｈとを連結するために所定の角度で傾斜している斜面部２４６ｆ，２４６ｇとを含む。また、斜面部２４６ｆ，２４６ｇは、上面部２４６ｈから連続して形成されている第１斜面部２４６ｇと、底面部２４６ｅから連続して形成されている第２斜面部２４６ｆとから構成されている。また、図２３（ｂ）に示すように、第２斜面部２４６ｆは、第１斜面部２４６ｇの傾きよりも緩やかな傾きを有している。
【０１９４】
また、ギア側カム部２４６ｃは、被係合部２４６ｉを有している。さらに、円板部２４６ｂの下側には、モータ２７１ａからの回転力が伝達されることで回転する被駆動歯車２４６ａが形成されている。また、円板部２４６ｂおよび被駆動歯車２４６ａには、その中心にシャフト２４７が挿通可能な孔２４６ｊが形成されている。
【０１９５】
駆動カム２４４は、図２１および図２４に示すように、その両端に開口を有する略円筒形状の部材であって、第１部分２４４ａと、第１部分２４４ａの縁部から外側方向、すなわち、外周方向に向かってに延びるように形成されている第２部分２４４ｂと、第２部分２４４ｂの縁部から第１部分２４４ａの延びている方向とは反対側の方向に延びるように形成されている第３部分２４４ｃとを含む。また、第２部分２４４ｂは、ギア２４６と駆動カム２４４とが組み合わされた状態で、ギア側カム面２４６ｄと所定の間隔を空けて対向するように配置される駆動カム側カム面２４４ｄを含む。なお、ここでいう所定の間隔、すなわち、ギア側カム面２４６ｄと駆動カム側カム面２４４ｄとの距離は、ガイド板２４５の突出部２４５ｂの端面の直径の長さよりも長い。
【０１９６】
駆動カム側カム面２４４ｄは、図２３（ａ）に示すように、ギア側カム面２４６ｄの上面部２４６ｈに対向する上面部２４４ｈと、ギア側カム面２４６ｄの底面部２４６ｅに対向する底面部２４４ｅと、ギア側カム面２４６ｄの斜面部２４６ｆ，２４６ｇと対向する斜面部２４４ｆ，２４４ｇとを有する。また、駆動カム側カム面２４４ｄの斜面部２４４ｆ，２４４ｇは、ギア側カム面２４６ｄの斜面部２４６ｆ，２４６ｇと同様に、上面部２４４ｈから連続して形成されている第１斜面部２４４ｇと、底面部２４４ｅから連続して形成されている第２斜面部２４４ｆとから構成されている。また、図２３（ａ）に示すように、第２斜面部２４４ｆは、第１斜面部２４４ｇの傾きよりも緩やかな傾きを有している。
【０１９７】
また、第２部分２４４ｂは、ギア側カム部２４６ｃの被係合部２４６ｉと係合可能な係合部２４４ｉを有している。係合部２４４ｉが被係合部２４６ｉと係合することで、ギア側カム面２４６ｄと駆動カム側カム面２４４ｄとが所定の間隔を空けて互いに対向するように配置される。
【０１９８】
このような構成によって、駆動カム２４４とギア２４６とが組み合わされて、駆動カム側カム面２４４ｄとギア側カム面２４６ｄとが所定の間隔を空けて互いに対向するように配置されることで、円筒カム部２４１の内側には、ガイド板２４５の突出部２４５ｂを案内するためのカム溝２４１ａが形成される。以下、円筒カム部２４１の内側に形成されているカム溝２４１ａについて説明する。
【０１９９】
図２５は、円筒カム部２４１，２９１を平面上に展開した状態で示す平面展開図である。また、図２６は、円筒カム部２４１，２９１とカム溝２４１ａ，２９１ａとの関係を概略的に示す図である。カム溝２４１ａは、図２５に示すように、壁面に上面部２４４ｈ，２４６ｈを含む上溝部２４１ｈと、壁面に底面部２４４ｅ，２４６ｅを含む下溝部２４１ｅと、壁面に斜面部２４４ｆ，２４４ｇ，２４６ｆ，２４６ｇを含む中溝部２４１ｆ，２４１ｇと有する。また、中溝部２４１ｆ，２４１ｇは、壁面に第１斜面部２４４ｇ，２４６ｇを含む第１中溝部２４１ｇと、壁面に第２斜面部２４４ｆ，２４６ｆを含む第２中溝部２４１ｆとから構成されている。このため、第２中溝部２４１ｆは、第１中溝部２４１ｇの傾きよりも緩やかな傾きを有している。
【０２００】
また、円筒カム部２４１は、駆動部２７１が駆動することによって、正方向または逆方向に所定角度（本実施形態では、３４２．６°）だけ回転可能である（図２６参照）。このため、ガイド板２４５の突出部２４５ｂは、円筒カム部２４１の回転角度に応じて変化するカム溝２４１ａを案内される。したがって、円筒カム部２４１の回転角度に応じて、カム溝２４１ａにおける突出部２４５ｂの位置が変化する。なお、図２６では、円筒カム部２４１において、上溝部２４１ｈが形成されている範囲（角度範囲）をＷ１で示し、第１中溝部２４１ｇが形成されている範囲をＷ２で示し、第２中溝部２４１ｆが形成されている範囲をＷ３で示し、下溝部２４１ｅが形成されている範囲をＷ４およびＷ５で示している。また、範囲Ｗ４とは、ガイド板２４５，２９５の突出部２４５ｂ，２９５ｂが共に下溝部２４１ｅ，２９１ｅに位置する範囲のことである。
【０２０１】
さらに、駆動カム２４４の第３部分２４４ｃの下部には、図２４に示すように、その外周面の一部から外側方向に突出する凸部２４４ｃａが設けられている。
【０２０２】
（２）弁体
遮蔽部２４０は、上述のように、２つの弁体２４３，２９３を備えている。また、本実施形態では、弁体２４３，２９３は同様の構成であるため、ここでは、弁体２４３の構成についてのみ説明を行い、弁体２９３については、弁体２４３の構成部品に付される２４０番台の符号を２９０番台に読み替えることによって、説明を省略する。
【０２０３】
弁体２４３は、図２１に示すように、シャフト２４７と、押え板２４８と、パッキン２４９とを有している。
【０２０４】
押え板２４８は、その中心にシャフト２４７が挿通する孔２４８ａが形成されている略円錐台形状の部材である。また、押え板２４８の側面上部には、図２７（ａ）に示すように、パッキン２４９の端部が嵌合可能な溝部２４８ｂが形成されている。さらに、押え板２４８の側面下部には、凹部２４８ｃが形成されている。
【０２０５】
シャフト２４７は、上述のように、ガイド板２４５の孔２４５ａに挿通しており、その一端部にガイド板２４５が取り付けられている。具体的には、ガイド板２４５は、シャフト２４７の軸方向に所定距離だけ移動可能なように、Ｅリング２４１ｂ，２４１ｉによってシャフト２４７に取り付けられている（図３６参照）。また、シャフト２４７の他端部（開口近傍側端部に相当）は、押え板２４８に形成されている孔２４８ａを挿通している。さらに、押え板２４８は、Ｅリング２４１ｃ，２４１ｄによってシャフト２４７に固定されている。
【０２０６】
パッキン２４９は、ゴム製または樹脂製の弾性変形可能な材料からなる有底円筒状の部材であって、押え板２４８の下側から押え板２４８に嵌装される。また、パッキン２４９の側面部は、押え板２４８の側面部とは合致しないように形成されている。このため、図２７に示すように、パッキン２４９が押え板２４８に装着された状態では、押え板２４８の凹部２４８ｃ内部には、凹部２４８ｃの開口部をパッキン２４９に覆われた空間Ｓ１が形成される。
【０２０７】
（３）駆動部
駆動部２７１は、上述のように、駆動源としての１つのモータ２７１ａと、モータ２７１ａの回転力を円筒状カム２４２，２９２の有する被駆動歯車２４６ａ，２９６ａに伝達するためのギア群２７０とを有している。
【０２０８】
モータ２７１ａは、後述する制御部２６０からの駆動指示、すなわち、制御部２６０から供給されるパルス数によって制御される正逆回転可能なステッピングモータである。また、モータ２７１ａの駆動軸には、駆動歯車２７１ｂが固定されている。この駆動歯車２７１ｂは、図２８に示すように、ギア群２７０に含まれる第１ギア２７０ａと噛み合うように配置されている。また、第１ギア２７０ａは、円筒状カム２４２の有する被駆動歯車２４６ａと噛み合うように配置されている。このため、駆動歯車２７１ｂが回転することで、第１ギア２７０ａを介して被駆動歯車２４６ａが回転する。したがって、駆動歯車２７１ｂが回転すると、その駆動力を受けて円筒カム部２４１が回転する。なお、図２８は、遮蔽部２４０の平面図であって、取付板２８２に円筒状カム２４２，２９２が取り付けられる時の位置、すなわち、遮蔽部２４０の組み立て位置におけるカム溝２４１ａ，２９１ａの位置を示す概略図である。
【０２０９】
また、ギア群２７０は、上述の第１ギア２７０ａの他に、図２８において右側に配置される円筒カム部２４１（以下、第１円筒カム部２４１という）の被駆動歯車２４６ａと噛み合うように配置されている第２ギア２７０ｂ、および、２つの円筒カムのうち第１円筒カム部２４１とは別の円筒カム部２９１（図２８において左側に配置されている円筒カム部、以下、第２円筒カム部２９１という）の被駆動歯車２９６ａおよび第２ギア２７０ｂと噛み合うように配置されている第３ギア２７０ｃを含む。
【０２１０】
このため、モータ２７１ａが駆動することによって駆動歯車２７１ｂが回転し、第１ギア２７０ａを介して第１円筒カム部２４１の被駆動歯車２４６ａが回転する。また、被駆動歯車２４６ａが回転することで第２ギア２７０ｂおよび第３ギア２７０ｃを介して第２円筒カム部２９１の被駆動歯車２９６ａが回転する。このような構成によって、１つのモータ２７１ａによって、２つの円筒カム部２４１，２９１を同期して駆動させることができる。
【０２１１】
また、遮蔽部２４０は、カバー２７２を備えている。カバー２７２は、図２１および図２９に示すように、２つの円筒カム部２４１，２９１の外周を覆うことができるように２つの円が重なったような形状の板状の上面部２７３と、上面部２７３端部から立設される側面部２７４とを有する。また、カバー２７２は、内面部２７５を有している。内面部２７５は、その一部が側面部２７４と対向するように、カバー２７２の内側に配置されている。
【０２１２】
内面部２７５は、両端に開口を有する円筒形状を呈しており、その一端の開口が上面部２７３によって覆われている。また、内面部２７５は、その内側にガイド板２４５，２９５の円板形状部分が収納可能なように、内面部２７５の開口の直径がガイド板２４５，２９５の円板形状部分の直径よりも大きくなるように形成されている。さらに、内面部２７５には、図２９および図３０に示すように、上下方向に延びるスリット状の切り欠き部２７５ａが形成されている。このスリット状の切り欠き部２７５ａには、円筒状カム２４２，２９２とカバー２７２とが組み合わされた状態で、ガイド板２４５，２９５の突出部２４５ｂ，２９５ｂが収納される。このように、スリット状の切り欠き部２７５ａに突出部２４５ｂ，２９５ｂが収納されるため、ガイド板２４５，２９５と駆動カム２４４，２９４およびギア２４６，２９６との共回りを防止することができる。すなわち、ガイド板２４５，２９５の回転を規制することができる。これによって、円筒カム部２４１，２９１を回転させても、ガイド板２４５，２９５およびガイド板２４５，２９５が取り付けられているシャフト２４７，２９７を有する弁体２４３，２９３は、回転することなく上下方向に移動する。また、図２９に示すように、内面部２７５の切り欠き部２７５ａは、２つのガイド板２４５，２９５の突出部２４５ｂ，２９５ｂの端面が対向して配置されるような位置に形成されている。
【０２１３】
また、カバー２７２の側面部２７４の下部には、図２１に示すように、スイッチ軸２７６が挿通可能な開口２７４ａが形成されている。スイッチ軸２７６は、駆動カム２９４の第３部分２９４ｃに設けられている凸部２９４ｃａに接触することによってリミットスイッチ２８０の有するレバー２８１を押す。言い換えると、駆動カム２９４の凸部２９４ｃａは、カバー２７２の有するスイッチ軸２７６を介してレバー２８１を押すことができる。
【０２１４】
さらに、２つの円筒状カム２４２，２９２、２つの弁体２４３，２９３、および、駆動部２７１は、図２１および図２８に示すように、取付板２８２に取り付けられている。なお、円筒状カム２４２，２９２の有する円筒カム部２４１，２９１は、図２８に示す点Ｏに対して点対称となる位置に配置されている。また、図２８中の点Ｏは、２つの円筒カム部２４１，２９１の中心からの距離が等しく、かつ、２つの円筒状カム２４２，２９２の中心を結んだ線上の点、すなわち、対称の中心となる点である。このため、円筒カム部２４１を、図２８に示す点Ｏを中心に１８０度回転させた位置に、円筒カム部２９１が配置されている。
【０２１５】
また、遮蔽部２４０は、リミットスイッチ２８０を備えている。
【０２１６】
リミットスイッチ２８０は、図２１および図２８に示すように、レバー２８１を有するマイクロスイッチであり、レバー２８１が押されることによってＯＮ信号を出力する。レバー２８１は、常にカバー２７２の有するスイッチ軸２７６と接触しており、スイッチ軸２７６が駆動カム２９４の凸部２９４ｃａと対峙することで押される。
【０２１７】
リミットスイッチ２８０は、スイッチ軸２７６が凸部２９４ｃａと対峙したときには、レバー２８１がスイッチ軸２７６を介して凸部２９４ｃａに押されることでＯＮ信号を発する（図３３（ａ）および図３５（ａ）参照）。また、リミットスイッチ２８０は、スイッチ軸２７６が凸部２９４ｃａと対峙していないときには、レバー２８１が凸部２９４ｃａに押されないため、ＯＦＦ信号を発する（図２８および図３４（ａ）参照）。なお、リミットスイッチ２８０から出力されたＯＮ信号またはＯＦＦ信号は、後述する制御部２６０に取り込まれる。
【０２１８】
このような構成によって、遮蔽部２４０では、モータ２７１ａが駆動することで駆動歯車２７１ｂが回転し、駆動歯車２７１ｂが回転することで第１ギア２７０ａを介して第１円筒カム部２４１の被駆動歯車２４６ａが回転する。第１円筒カム部２４１の被駆動歯車２４６ａが回転することで、第１円筒カム部２４１が回転する。また、第１円筒カム部２４１の被駆動歯車２４６ａが回転することで、第２ギア２７０ｂおよび第３ギア２７０ｃを介して第２円筒カム部２９１の被駆動歯車２９６ａが回転する。第２円筒カム部２９１の被駆動歯車２９６ａが回転することで、第２円筒カム部２９１が回転する。また、円筒カム部２４１，２９１の内側には、ガイド板２４５，２９５の突出部２４５ｂ，２９５ｂを案内するためのカム溝２４１ａ，２９１ａが形成されているため、円筒カム部２４１，２９１が回転することによって、ガイド板２４５，２９５を、シャフト２４７，２９７の軸方向、すなわち、上下方向に所定位置（図２０および図２５に示す第１位置Ｐ１および第２位置Ｐ２）まで移動させることができる。
【０２１９】
また、ガイド板２４５，２９５が上下方向に移動することによって、ガイド板２４５，２９５が取り付けられているシャフト２４７，２９７は、上下方向、すなわち、下部ケーシング２３２の表面に対して交差する方向に直線的に移動する。このため、ガイド板２４５，２９５の突出部２４５ｂ，２９５ｂが上溝部２４１ｈ，２９１ｈから下溝部２４１ｅ，２９１ｅに向かって案内されることで、ガイド板２４５，２９５が下方向に移動される（図２５参照）。また、ガイド板２４５，２９５が下方向に移動されることで、弁体２４３，２９３の押え板２４８，２９８およびパッキン２４９，２９９が図２０に示す第３位置Ｐ３ｂ（所定の第２位置に相当）から下方向に移動される。そして、ガイド板２４５，２９５の突出部２４５ｂ，２９５ｂが下溝部２４１ｅ，２９１ｅまで案内されることで、押え板２４８，２９８およびパッキン２４９，２９９が、図２０に示す第４位置Ｐ４（遮蔽位置に相当）まで移動される。押え板２４８，２９８およびパッキン２４９，２９９が図２０に示す第４位置Ｐ４まで移動されることで、開口２３６，２３７が塞がれる。また、このとき、図２７に示すように、パッキン２４９，２９９が開口２３６，２３７の端部に接触した後に、さらに、弁体２４３，２９３の押え板２４８，２９８およびパッキン２４９，２９９が下方向に移動されることで、パッキン２４９，２９９が内側に折れ曲がる。このため、押え板２４８，２９８とパッキン２４９，２９９との間に形成されている空間Ｓ１が小さくなる（図２７（ｃ）参照）。
【０２２０】
このようにして、加湿ダクト２５８の内部空間と室外ダクト２０８ａ，２０８ｂの内部空間との連通が遮蔽される。すなわち、加湿ユニット２０５から室内機２０２ａ，２０２ｂに向かう空気の流通が遮蔽されることになる。なお、円筒カム部２４１，２９１は、弁体２４３，２９３の移動中心軸を回転中心として回転する。言い換えると、円筒カム部２４１，２９１の回転中心軸（中心線に相当）は、弁体２４３，２９３の移動中心軸と同一線上にある。
【０２２１】
また、ガイド板２４５，２９５の突出部２４５ｂ，２９５ｂが下溝部２４１ｅ，２９１ｅから上溝部２４１ｈ，２９１ｈに向かって案内されることで、ガイド板２４５，２９５が上方向に移動される（図２５参照）。また、ガイド板２４５，２９５が上方向に移動されることで、弁体２４３，２９３の押え板２４８，２９８およびパッキン２４９，２９９も上方向に移動される。これによって、押え板２４８，２９８およびパッキン２４９，２９９によって塞がれていた開口２３６，２３７が、開放される。
【０２２２】
さらに、空気流路切り換え部２３０は、モータ２７１ａを駆動させ円筒カム部２４１，２９１を回転させて弁体２４３，２９３を上下方向に移動させることで、開口２３６（以下、第１開口という）が開放されており開口２３７（以下、第２開口という）が閉じられている第１状態（図３１参照）、第１開口２３６が閉じられており第２開口２３７が開放されている第２状態（図２０参照）、および、第１開口２３６および第２開口２３７が閉じられている第３状態（図３２参照）に切り換わることが可能である。以下に、第１状態、第２状態、および、第３状態について、図２０、図２５、図３１および図３２を用いて説明する。
【０２２３】
第１状態とは、第１円筒カム部２４１によって案内されるガイド板２４５の突出部である第１突出部２４５ｂが第１円筒カム部２４１の内側に形成されている上溝部２４１ｈに位置しており、かつ、第２円筒カム部２９１によって案内されるガイド板２９５の突出部である第２突出部２９５ｂが第２円筒カム部２９１の内側に形成されている下溝部２９１ｅに位置している状態である。このため、図３１に示すように、第１弁体２４３の押え板２４８およびパッキン２４９が第１開口２３６を開放する位置である第３位置Ｐ３ｂに配置され、第２弁体２９３の押え板２９８およびパッキン２９９が第２開口２３７を塞ぐ位置である第４位置Ｐ４に配置される。したがって、加湿ダクト２５８の内部空間と第１室外ダクト２０８ａの内部空間とが第１開口２３６を介して連通することになる。これによって、給気状態の場合には、加湿ダクト２５８を通ってきた空気が、第１室内機２０２ａへと供給されるようになる。
【０２２４】
第２状態とは、第１突出部２４５ｂが下溝部２４１ｅに位置しており、かつ、第２突出部２９５ｂが上溝部２９１ｈに位置している状態である。このため、図２０に示すように、第１弁体２４３の押え板２４８およびパッキン２４９が第１開口２３６を塞ぐ位置である第４位置Ｐ４に配置され、第２弁体２９３の押え板２９８およびパッキン２９９が第２開口２３７を開放する位置である第３位置Ｐ３ｂに配置される。したがって、加湿ダクト２５８の内部空間と第２室外ダクト２０８ｂの内部空間とが第２開口２３７を介して連通することになる。これによって、給気状態の場合には、加湿ダクト２５８を通ってきた空気が、第２室内機２０２ｂへと供給されるようになる。
【０２２５】
第３状態とは、第１突出部２４５ｂが下溝部２４１ｅに位置しており、かつ、第２突出部２９５ｂが下溝部２９１ｅに位置している状態である。このため、図３２に示すように、第１弁体２４３の押え板２４８およびパッキン２４９が第１開口２３６を塞ぐ位置である第４位置Ｐ４に配置され、第２弁体２９３の押え板２９８およびパッキン２９９が第２開口２３７を塞ぐ位置である第４位置Ｐ４に配置される。したがって、加湿ダクト２５８の内部空間と室外ダクト２０８ａ，２０８ｂの内部空間とは連通していないため、室外から室内に向かう空気の流通が遮蔽された状態となる。これによって、加湿ユニット２０５から室内機２０２ａ，２０２ｂには、空気が供給されないことになる。
【０２２６】
次に、空気流路切り換え部２３０における状態の切り換えとモータ２７１ａの駆動との関係について図３３、図３４および図３５を用いて説明する。
【０２２７】
なお、図３３（ａ）、図３４（ａ）および図３５（ａ）は、遮蔽部２４０の平面視において、円筒カム部２４１，２９１におけるカム溝２４１ａ，２９１ａの位置および凸部２４４ｃａ，２９４ｃａの位置を示す概略図である。なお、図３３（ａ）および図３５（ａ）では、凸部２９４ｃａがレバー２８１と対峙した時点、すなわち、リミットスイッチ２８０から出力される信号がＯＦＦ信号からＯＮ信号に切り換わる時点における円筒カム部２４１，２９１の回転位置（状態）を概略的に示している。また、図３３（ｂ）は、円筒カム部２４１，２９１の回転位置、すなわち、回転基準位置に位置する突出部２４５ｂ，２９５ｂと円筒カム部２４１，２９１におけるカム溝２４１ａ，２９１ａとが図３３（ａ）に示す位置にある場合の弁体２４３，２９３の開口２３６，２３７からの距離、すなわち、弁体２４３，２９３の位置を示す概略図である。図３４（ｂ）は、円筒カム部２４１，２９１の回転位置が図３４（ａ）に示す位置にある場合の弁体２４３，２９３の位置を示す概略図である。図３５（ｂ）は、円筒カム部２４１，２９１の回転位置が図３５（ａ）に示す位置にある場合の弁体２４３，２９３の位置を示す概略図である。なお、図３３（ｂ）に示す符号Ｐ３ａはリミットスイッチ２８０から出力される信号がＯＦＦ信号からＯＮ信号に切り換わる時点の弁体２４３，２９３の位置である検知位置（所定の第１位置に相当）を示し、符号Ｐ３ｂは開口２３６，２３７が完全に開放された状態（全開状態に相当）の弁体２４３，２９３の位置、すなわち、突出部２４５ｂ，２９５ｂが上溝部２４１ｈ，２９１ｈに位置しているときの弁体２４３，２９３の位置である第３位置を示し、符号Ｐ４は開口２３６，２３７が閉じられている状態の弁体２４３，２９３の位置である第４位置を示している。
【０２２８】
モータ２７１ａは、正逆回転可能なモータであるため、モータ２７１ａが正方向（図３３の矢印Ｙ１方向）に回転した場合には、第１円筒カム部２４１の被駆動歯車２４６ａは正方向に回転し、第２円筒カム部２９１の被駆動歯車２９６ａは正方向とは逆の方向である逆方向に回転する。また、モータ２７１ａが逆方向（図３５の矢印Ｙ２方向）に回転した場合には、第１円筒カム部２４１の被駆動歯車２４６ａは逆方向に回転し、第２円筒カム部２９１の被駆動歯車２９６ａは逆方向とは逆の方向である正方向に回転する。
【０２２９】
このため、空気流路切り換え部２３０が第３状態である場合、すなわち、第１突出部２４５ｂが第１円筒カム部２４１の内側に形成されている下溝部２４１ｅにおいて図２５および図２６に示す範囲Ｗ４に位置しており、かつ、第２突出部２９５ｂが第２円筒カム部２９１の内側に形成されている下溝部２９１ｅにおいて図２５および図２６に示す範囲Ｗ４に位置している状態で、モータ２７１ａが正方向に回転した場合には、第１突出部２４５ｂは、第１円筒カム部２４１の内側に形成されている下溝部２４１ｅから中溝部２４１ｆ，２４１ｇを通って上溝部２４１ｈに案内される（図２５、図２６、図３３および図３４参照）。言い換えると、第１突出部２４５ｂは、下溝部２４１ｅにおいて図２５および図２６に示す範囲Ｗ４の位置から、図２５および図２６に示す範囲Ｗ３および図２５および図２６に示す範囲W２を経て、図２５および図２６に示す範囲W１の位置まで移動する。このとき、第１突出部２４５ｂを有するガイド板２４５である第１ガイド板２４５が上方向に移動されるため、第１ガイド板２４５に固定されている弁体２４３である第１弁体２４３も上方向に移動される。したがって、第１弁体２４３の押え板２４８およびパッキン２４９によって塞がれていた第１開口２３６が開放される（図３３（ｂ）参照）。また、第１円筒カム部２４１と第２円筒カム部２９１とは、図２８中の点Ｏに対して点対称となる位置に配置されて取付板２８２に取り付けられているため、第２突出部２９５ｂは第２円筒カム部２９１の内側に形成されている下溝部２９１ｅにおいて図２５および図２６に示す範囲Ｗ５の範囲を案内されることになる。このとき、第２突出部２９５ｂを有するガイド板２９５である第２ガイド板２９５は上下方向に移動されないため、第２ガイド板２９５に固定されている弁体２９３である第２弁体２９３も移動せず、第２開口２３７が塞がれた状態が維持される（図３３（ｂ）参照）。
【０２３０】
このようにして、空気流路切り換え部２３０の状態が、第３状態から第１状態に切り換わる。
【０２３１】
また、空気流路切り換え部２３０が第１状態である場合、すなわち、第１突出部２４５ｂが第１円筒カム部２４１の内側に形成されている上溝部２４１ｈにおいて図２５および図２６に示す範囲Ｗ１に位置しており、かつ、第２突出部２９５ｂが第２円筒カム部２９１の内側に形成されている下溝部２９１ｅにおいて図２５および図２６に示す範囲Ｗ５に位置している状態で、モータ２７１ａが逆方向に回転した場合には、第１突出部２４５ｂは、第１円筒カム部２４１の内側に形成されている上溝部２４１ｈから中溝部２４１ｆ，２４１ｇを通って下溝部２４１ｅに案内される（図２５、図２６、図３３および図３４参照）。言い換えると、第１突出部２４５ｂは、上溝部２４１ｈにおいて図２５および図２６に示す範囲Ｗ１の位置から、図２５および図２６に示す範囲W２および図２５および図２６に示す範囲Ｗ３を経て、図２５および図２６に示す範囲W４の位置まで移動する。このとき、第１ガイド板２４５が下方向に移動されるため、第１弁体２４３も下方向に移動される。したがって、開放されていた第１開口２３６が、第１弁体２４３の押え板２４８およびパッキン２４９によって塞がれる（図３４（ｂ）参照）。また、第２突出部２９５ｂは、第２円筒カム部２９１の内側に形成されている下溝部２９１ｅにおいて図２５および図２６に示す範囲Ｗ４の範囲に案内されることになる。このとき、第２ガイド板２９５は上下方向に移動されないため第２弁体２９３も移動せず、第２弁体２９３の押え板２９８およびパッキン２９９によって第２開口２３７が塞がれた状態が維持される（図３４（ｂ）参照）。
【０２３２】
このようにして、空気流路切り換え部２３０の状態が、第１状態から第３状態に切り換わる。
【０２３３】
また、空気流路切り換え部２３０が第３状態である場合、すなわち、第１突出部２４５ｂが第１円筒カム部２４１の内側に形成されている下溝部２４１ｅにおいて図２５および図２６に示す範囲Ｗ４に位置しており、かつ、第２突出部２９５ｂが第２円筒カム部２９１の内側に形成されている下溝部２９１ｅにおいて図２５および図２６に示す範囲Ｗ４に位置している状態で、モータ２７１ａが逆方向に回転されると、第１突出部２４５ｂは第１円筒カム部２４１の内側に形成されている下溝部２４１ｅにおいて図２５および図２６に示す範囲Ｗ５の範囲を案内されることになる（図２５、図２６、図３４および図３５参照）。このとき、第１ガイド板２４５は上下方向に移動されないため第１弁体２４３も移動せず、第１弁体２４３の押え板２４８およびパッキン２４９によって第１開口２３６が塞がれた状態が維持される（図３５（ｂ）参照）。また、第２突出部２９５ｂは、第２円筒カム部２９１の内側に形成されている下溝部２９１ｅから中溝部２９１ｆ，２９１ｇを介して上溝部２９１ｈに案内される（図２５、図２６、図３４および図３５参照）。言い換えると。第２突出部２９５ｂは、下溝部２９１ｅにおいて図２５および図２６に示す範囲Ｗ４の位置から、図２５および図２６に示す範囲Ｗ３および図２５および図２６に示す範囲W２を経て、図２５および図２６に示す範囲W１の位置まで移動する。このとき、第２ガイド板２９５が上方向に移動されるため、第２弁体２９３も上方向に移動される。したがって、第２弁体２９３の押え板２９８およびパッキン２９９によって塞がれていた第２開口２３７が開放される（図３５（ｂ）参照）。
【０２３４】
このようにして、空気流路切り換え部２３０の状態が、第３状態から第２状態に切り換わる。
【０２３５】
また、空気流路切り換え部２３０が第２状態である場合、すなわち、第１突出部２４５ｂが第１円筒カム部２４１において下溝部２４１ｅが形成されている範囲Ｗ５に位置しており、かつ、第２突出部２９５ｂが第２円筒カム部２９１において上溝部２９１ｈが形成されている範囲Ｗ１に位置している状態で、モータ２７１ａが正方向に回転した場合には、第１突出部２４５ｂは、第１円筒カム部２４１の内側に形成されている下溝部２４１ｅにおいて図２５および図２６に示す範囲Ｗ４の範囲に案内されることになる。このとき、第１ガイド板２４５は上下方向に移動されないため第１弁体２４３も移動せず、第１開口２３６は第１弁体２４３の押え板２４８およびパッキン２４９によって塞がれた状態が維持される。また、第２突出部２９５ｂは、第２円筒カム部２９１の内側に形成されている上溝部２９１ｈから中溝部２９１ｆ，２９１ｇを通って下溝部２９１ｅに案内される（図２５、図２６、図３４および図３５参照）。言い換えると、第２突出部２９５ｂは、上溝部２９１ｈにおいて図２５および図２６に示す範囲Ｗ１の位置から、図２５および図２６に示す範囲W２および図２５および図２６に示す範囲Ｗ３を経て、図２５および図２６に示す範囲W４の位置まで移動する。このとき、第２ガイド板２９５が下方向に移動されるため、第２弁体２９３も下方向に移動される。したがって、開放されていた第２開口２３７が第２弁体２９３の押え板２９８およびパッキン２９９によって塞がれる。
【０２３６】
このようにして、空気流路切り換え部２３０の状態が、第２状態から第３状態に切り換わる。
【０２３７】
なお、空気流路切り換え部２３０の状態が、第１状態から第３状態に切り換わった状態で、更にモータ２７１ａが逆方向に回転されると、第１突出部２４５ｂが第１円筒カム部２４１の内側に形成されている下溝部２４１ｅにおいて図２５および図２６に示す範囲Ｗ５の範囲に案内されることになる。このとき、第１ガイド板２４５は上下方向に移動されないため第１弁体２４３も移動せず、第１弁体２４３の押え板２４８およびパッキン２４９によって第１開口２３６が塞がれた状態が維持される。また、第２突出部２９５ｂは、第２円筒カム部２９１の内側に形成されている下溝部２９１ｅから中溝部２９１ｆ，２９１ｇを介して上溝部２９１ｈに案内される（図２５、図２６、図３３、図３４および図３５参照）。このとき、第２ガイド板２９５が上方向に移動されるため、第２弁体２９３も上方向に移動される。したがって、第２弁体２９３の押え板２９８およびパッキン２９９によって塞がれていた第２開口２３７が開放される。
【０２３８】
このようにして、空気流路切り換え部２３０の状態が、第１状態から第２状態に切り換わる。
【０２３９】
また、空気流路切り換え部２３０の状態が、第２状態から第３状態に切り換わった状態で、更に、モータ２７１ａが正方向に回転されると、第１突出部２４５ｂは、第１円筒カム部２４１の内側に形成されている下溝部２４１ｅから中溝部２４１ｆ，２４１ｇを介して上溝部２４１ｈに案内される（図２５、図２６、図３３、図３４および図３５参照）。このとき、第１ガイド板２４５が上方向に移動されるため、第１弁体２４３も上方向に移動される。したがって、第１弁体２４３の押え板２４８およびパッキン２４９によって塞がれていた第１開口２３６が開放される。また、第２突出部２９５ｂは、第２円筒カム部２９１の内側に形成されている下溝部２９１ｅにおいて図２５および図２６に示す範囲Ｗ５の範囲に案内されることになる。このため、第２開口２３７は第２弁体２９３の押え板２９８およびパッキン２９９によって塞がれている状態が維持される。
【０２４０】
このようにして、空気流路切り換え部２３０の状態が、第２状態から第１状態に切り換わる。
【０２４１】
また、シャフト２４７，２９７はガイド板２４５，２９５を貫通しており、ガイド板２４５，２９５の上下方向への移動は、図３６に示すように、シャフト２４７，２９７の第５位置Ｐ５および第６位置Ｐ６に配置されるＥリング２４１ｂ，２４１ｉ，２９１ｂ，２９１ｉによって規制されている。このため、ガイド板２４５，２９５は、図３６に示す範囲Ｗ６を上下方向に移動可能である。また、遮蔽部２４０は、弾性変機可能なバネ部材２４７ａ，２９７ａと、バネ受け２４７ｂ，２９７ｂと、を有している。また、バネ部材２４７ａ，２９７ａおよびバネ受け２４７ｂ，２９７ｂは、ガイド板２４５，２９５とＥリング２４１ｂ，２９１ｂとの間に配置されている。バネ受け２４７ｂ，２９７ｂは、Ｅリング２４１ｂ，２９１ｂによって固定されており、バネ部材２４７ａ，２９７ａの上下方向の移動は、ガイド板２４５，２９５とバネ受け２４７ｂ，２９７ｂとによって規制されている。このため、ガイド板２４５，２９５の突出部２４５ｂ，２９５ｂが上溝部２４１ｈ，２９１ｈから下溝部２４１ｅ，２９１ｅに案内されることでガイド板２４５，２９５が下方向に移動される場合には、第２中溝部２４１ｆ，２９１ｆにおいてバネ部材２４７ａ，２９７ａが圧縮される。そして、ガイド板２４５，２９５の突出部２４５ｂ，２９５ｂが下溝部２４１ｅ，２９１ｅに案内されたときに、バネ部材２４７ａ，２９７ａは最も圧縮された状態となる。また、バネ部材２４７ａ，２９７ａは、ガイド板２４５，２９５とバネ受け２４７ｂ，２９７ｂとによって圧縮されることで、バネ受け２４７ｂ，２９７ｂを下方向に押圧する。このため、バネ部材２４７ａ，２９７ａは、弁体２４３，２９３が開口２３６，２３７を塞ぐように付勢することができる。
【０２４２】
また、ガイド板２４５，２９５の突出部２４５ｂ，２９５ｂが下溝部２４１ｅ，２９１ｅから上溝部２４１ｈ，２９１ｈに案内されることでガイド板２４５，２９５が上方向に移動される場合には、第２中溝部２４１ｆ，２９１ｆにおいてバネ部材２４７ａ，２９７ａの反力によってガイド板２４５，２９５を上方向に押圧する。このため、バネ部材２４７ａ，２９７ａは、弁体２４３，２９３が開口２３６，２３７を開放するように付勢することができる。
【０２４３】
また、第２中溝部２４１ｆ，２９１ｆを第１中溝部２４１ｇ，２９１ｇよりも緩やかな傾斜にすることで、第２中溝部２４１ｆ，２９１ｆが第１中溝部２４１ｇ，２９１ｇと同様の傾斜を有する場合と比較して、バネ部材２４７ａ，２９７ａを圧縮するためのモータ２７１ａの駆動トルクを小さくすることができる。
【０２４４】
次に、駆動部２７１を駆動させるための制御部２６０について説明する。
【０２４５】
＜制御部＞
制御部２６０は、図３７に示すように、室内機２０２ａ，２０２ｂ、室外空調ユニット２０４および加湿ユニット２０５の各種機器と接続されており、リモコン２９０を介したユーザからの指令に基づいて、冷房運転、暖房運転、除湿運転、加湿運転、給気運転、および、排気運転等の各運転モードに応じて各種機器の動作制御を行う。
【０２４６】
また、制御部２６０は、遮蔽機構制御部２６１を備えている。遮蔽機構制御部２６１は、制御部２６０からの制御指示に基づいて、空気流路切り換え部２３０の状態を切り換える。
【０２４７】
遮蔽機構制御部２６１は、記憶部２６２と、モータ駆動制御部２６４と、決定部２６５と、検知部２６３とを有している。
【０２４８】
記憶部２６２は、空気流路切り換え部２３０の状態が切り換えられた場合、切り換えられた空気流路切り換え部２３０の状態を、現在の空気流路切り換え部２３０の状態として記憶する。また、記憶部２６２は、現在の空気流路切り換え部２３０の状態を記憶した場合、以前記憶された空気流路切り換え部２３０の状態についての情報を消去する。なお、空気流路切り換え部２３０の状態が切り換えられた場合とは、遮蔽機構制御部２６１によって、空気流路切り換え部２３０の状態が切り換わったことが判断された場合のことである。このため、記憶部２６２に記憶される現在の空気流路切り換え部２３０の状態は、遮蔽機構制御部２６１によって判断された空気流路切り換え部２３０の状態と同一の状態となる。
【０２４９】
モータ駆動制御部２６４は、モータ２７１ａの回転量および回転方向を制御する。具体的には、モータ駆動制御部２６４は、モータ２７１ａが所定量回転するように、モータ２７１ａに対して所定のパルス数を供給する。また、モータ駆動制御部２６４は、モータ２７１ａが正方向または逆方向に回転するように、モータ２７１ａの回転方向を制御する回転方向制御信号をモータ２７１ａに対して供給する。このため、モータ２７１ａは、モータ駆動制御部２６４から供給される回転方向制御信号およびパルス数に応じて、正方向または逆方向に所定量回転する。したがって、モータ２７１ａの回転方向および回転量を制御することによって、円筒カム部２４１，２９１の有する被駆動歯車２４６ａ，２９６ａを所定方向に所定量だけ回転させることができるため、弁体２４３，２９３を上下方向に移動させることができる。
【０２５０】
また、モータ駆動制御部２６４によってモータ２７１ａに対して供給されるパルス数および回転方向制御信号は、決定部２６５または検知部２６３から出力される信号に基づいて決定される。なお、モータ駆動制御部２６４は、決定部２６５からの信号よりも検知部２６３からの信号を優先する。
【０２５１】
決定部２６５は、記憶部２６２に記憶されている現在の空気流路切り換え部２３０の状態に基づいて、モータ駆動制御部２６４によってモータ２７１ａに対して供給されるモータ２７１ａの回転方向およびパルス数を決定し、決定した回転方向およびパルス数に関する信号をモータ駆動制御部２６４に出力する。
【０２５２】
具体的には、決定部２６５は、空気流路切り換え部２３０の状態を第３状態にする場合であって記憶部２６２に現在の空気流路切り換え部２３０の状態が第１状態であると記憶されている場合、モータ駆動制御部２６４に対して、回転方向制御信号が「逆方向」であって供給されるパルス数が所定の第１パルス数（例えば、３０００ｐｌ）となるように、回転方向およびパルス数に関する信号を出力する。また、決定部２６５は、空気流路切り換え部２３０の状態を第３状態にする場合であって記憶部２６２に現在の空気流路切り換え部２３０の状態が第２状態であると記憶されている場合、モータ駆動制御部２６４に対して、回転方向制御信号が「正方向」であって供給されるパルス数が所定の第１パルス数となるように、回転方向およびパルス数に関する信号を出力する。さらに、決定部２６５は、空気流路切り換え部２３０の状態を第３状態にする場合であって記憶部２６２に現在の空気流路切り換え部２３０の状態が第３状態であると記憶されている場合、モータ駆動制御部２６４に対して、信号を出力しない。
【０２５３】
なお、モータ２７１ａは、モータ駆動制御部２６４から供給されるパルス数が所定の第１パルス数である場合には、円筒カム部２４１，２９１を約１５５度回転させる。このため、空気流路切り換え部２３０の状態が第１状態である場合に、モータ２７１ａが逆方向に所定の第１パルス数分回転した場合、第１円筒カム部２４１が逆方向に回転することで、１突出部２４５ｂが第１円筒カム部２４１の内側に形成されている上溝部２４１ｈから下溝部２４１ｅの範囲Ｗ４内に案内される。また、第１円筒カム部２４１が逆方向に回転することで、第２円筒カム部２９１が正方向に回転して、第２突出部２９５ｂが第２円筒カム部２９１の内側に形成されている下溝部２９１ｅの範囲Ｗ５内から範囲Ｗ４内に案内される。したがって、第１弁体２４３は第３位置Ｐ３ｂから第４位置Ｐ４に移動し、第２弁体２９３は移動せず第４位置Ｐ４に位置し続ける。これによって、空気流路切り換え部２３０の状態が第３状態となる。すなわち、空気流路切り換え部２３０の状態が第１状態から第３状態に切り換わる。
【０２５４】
また、空気流路切り換え部２３０の状態が第２状態である場合に、モータ２７１ａが正方向に所定の第１パルス数分回転した場合、第１円筒カム部２４１が正方向に回転することで、１突出部２４５ｂが第１円筒カム部２４１の内側に形成されている下溝部２４１ｅの範囲Ｗ５内から範囲Ｗ４内に案内される。また、第１円筒カム部２４１が正方向に回転することで、第２円筒カム部２９１が逆方向に回転して、第２突出部２９５ｂが第２円筒カム部２９１の内側に形成されている上溝部２９１ｈから下溝部２９１ｅの範囲Ｗ４内に案内される。したがって、第１弁体２４３は移動せず第４位置Ｐ４に位置し続け、第２弁体２９３は第３位置Ｐ３ｂから第４位置Ｐ４に移動する。これによって、空気流路切り換え部２３０の状態が第３状態となる。すなわち、空気流路切り換え部２３０の状態が第２状態から第３状態に切り換わる。
【０２５５】
また、決定部２６５は、空気流路切り換え部２３０の状態を第１状態にする場合であって記憶部２６２に現在の空気流路切り換え部２３０の状態が第２状態であると記憶されている場合、モータ駆動制御部２６４に対して、回転方向制御信号が「正方向」であって供給されるパルス数が所定の第２パルス数（例えば、６０００ｐｌ）となるように、回転方向およびパルス数に関する信号を出力する。また、決定部２６５は、空気流路切り換え部２３０の状態を第１状態にする場合であって記憶部２６２に現在の空気流路切り換え部２３０の状態が第３状態であると記憶されている場合、モータ駆動制御部２６４に対して、回転方向制御信号が「正方向」であって供給されるパルス数が所定の第１パルス数となるように、回転方向およびパルス数に関する信号を出力する。さらに、決定部２６５は、空気流路切り換え部２３０の状態を第１状態にする場合であって記憶部２６２に現在の空気流路切り換え部２３０の状態が第１状態であると記憶されている場合、モータ駆動制御部２６４に対して、信号を出力しない。
【０２５６】
なお、モータ２７１ａは、モータ駆動制御部２６４から供給されるパルス数が所定の第２パルス数である場合には、円筒カム部２４１，２９１を約３１０度回転させる。このため、空気流路切り換え部２３０の状態が第２状態である場合にモータ２７１ａが正方向に所定の第２パルス数分回転することで、第２円筒カム部２９１を逆方向に回転させてリミットスイッチ２８０からＯＮ信号を出力させることができる。
【０２５７】
また、上述のように、モータ２７１ａは、モータ駆動制御部２６４から供給されるパルス数が所定の第１パルス数である場合には、円筒カム部２４１，２９１を約１５５度回転させる。このため、空気流路切り換え部２３０の状態が第３状態である場合にモータ２７１ａが正方向に所定の第１パルス数分回転することで、第２円筒カム部２９１を逆方向に回転させてリミットスイッチ２８０からＯＮ信号を出力させることができる。
【０２５８】
さらに、決定部２６５は、空気流路切り換え部２３０の状態を第２状態にする場合であって記憶部２６２に現在の空気流路切り換え部２３０の状態が第１状態であると記憶されている場合、モータ駆動制御部２６４に対して、回転方向制御信号が「逆方向」であって供給されるパルス数が所定の第２パルス数となるように、回転方向およびパルス数に関する信号を出力する。また、決定部２６５は、空気流路切り換え部２３０の状態を第２状態にする場合であって記憶部２６２に現在の空気流路切り換え部２３０の状態が第３状態であると記憶されている場合、モータ駆動制御部２６４に対して、回転方向制御信号が「逆方向」であって供給されるパルス数が所定の第１パルス数となるように、回転方向およびパルス数に関する信号を出力する。さらに、決定部２６５は、空気流路切り換え部２３０の状態を第２状態にする場合であって記憶部２６２に現在の空気流路切り換え部２３０の状態が第２状態であると記憶されている場合、モータ駆動制御部２６４に対して、信号を出力しない。
【０２５９】
なお、モータ２７１ａは、上述のように、モータ駆動制御部２６４から供給されるパルス数が所定の第２パルス数である場合には、円筒カム部２４１，２９１を約３１０度回転させる。このため、空気流路切り換え部２３０の状態が第１状態である場合にモータ２７１ａが逆方向に所定の第２パルス数分回転することで、第２円筒カム部２９１を正方向に回転させてリミットスイッチ２８０からＯＮ信号を出力させることができる。
【０２６０】
また、上述のように、モータ２７１ａは、モータ駆動制御部２６４から供給されるパルス数が所定の第１パルス数である場合には、円筒カム部２４１，２９１を約１５５度回転させる。このため、空気流路切り換え部２３０の状態が第３状態である場合にモータ２７１ａが逆方向に所定の第１パルス数分回転することで、第２円筒カム部２９１を正方向に回転させてリミットスイッチ２８０からＯＮ信号を出力させることができる。
【０２６１】
検知部２６３は、リミットスイッチ２８０から出力される信号に基づいて、第１弁体２４３または第２弁体２９３が検知位置Ｐ３ａにあることを検知する。すなわち、検知部２６３は、開口２３６，２３７が開放されたか否かを検知することができる。具体的には、検知部２６３は、リミットスイッチ２８０から出力される信号がＯＦＦ信号からＯＮ信号に切り換わったときに、第１弁体２４３または第２弁体２９３が検知位置Ｐ３ａにあること、すなわち、開口２３６，２３７が開放されたことを検知する。また、検知部２６３は、第１弁体２４３または第２弁体２９３が検知位置Ｐ３ａにあること、すなわち、開口２３６，２３７が開放されたことを検知した場合、モータ駆動制御部２６４に対して、回転方向制御信号が現在の回転方向であって供給されるパルス数が所定の第３パルス数（例えば、５００ｐｌ）となるように、回転方向およびパルス数に関する信号を出力する（図３８参照）。
【０２６２】
なお、検知位置Ｐ３ａとは、図３８に示すように、突出部２４５ｂ，２９５ｂが円筒カム部２４１，２９１の内側に形成されている第１中溝部２４１ｇ，２９１ｇに位置している場合、すなわち、突出部２４５ｂ，２９５ｂが範囲Ｗ２内に位置している場合の弁体２４３，２９３の位置のことである。
【０２６３】
なお、上述のように、モータ駆動制御部２６４は、決定部２６５から出力される信号よりも検知部２６３から出力される信号を優先する。このため、モータ駆動制御部２６４は、モータ２７１ａが決定部２６５によって決定されたパルス数分回転していなくても検知部２６３からパスル数に関する信号が出力された場合には、モータ２７１ａが所定の第３パルス数分だけ回転するように、モータ２７１ａに対してパスル数を供給する。このため、モータ２７１ａは、リミットスイッチ２８０から出力される信号がＯＦＦ信号からＯＮ信号に切り換わった場合、信号が切り換わった時点から供給された所定の第３パルス数分だけ回転して停止する。したがって、円筒カム部２４１，２９１は、リミットスイッチ２８０から出力される信号がＯＦＦ信号からＯＮ信号に切り換わった時点の回転位置から、更に、モータ２７１ａによって所定の第３パルス数分だけ回転されて停止する。
【０２６４】
なお、モータ２７１ａは、モータ駆動制御部２６４から供給されるパルス数が所定の第３パルス数である場合には、円筒カム部２４１，２９１を約２０度回転させる。
【０２６５】
このため、モータ２７１ａが正方向に回転しているときに検知部２６３によって第１弁体２４３または第２弁体２９３が検知位置Ｐ３ａにあることが検知された場合、すなわち、第１開口２３６または第２開口２３７が開放されたことが検知された場合、モータ２７１ａが更に正方向に所定の第３パルス数分回転することで、第１円筒カム部２４１が正方向に更に回転して、１突出部２４５ｂが第１円筒カム部２４１の内側に形成されている上溝部２４１ｈに案内される。また、第１円筒カム部２４１が正方向に更に回転することで、第２円筒カム部２９１が逆方向に更に回転して、第２突出部２９５ｂが第２円筒カム部２９１の内側に形成されている下溝部２９１ｅを移動する。したがって、第１弁体２４３が第３位置Ｐ３ｂに移動する。これによって、空気流路切り換え部２３０の状態が第１状態となる。なお、このとき、第２弁体２９３は、第４位置Ｐ４に位置している。
【０２６６】
また、モータ２７１ａが逆方向に回転しているときに検知部２６３によって第１弁体２４３または第２弁体２９３が検知位置Ｐ３ａにあることが検知された場合、すなわち、第１開口２３６または第２開口２３７が開放されたことが検知された場合、モータ２７１ａが更に逆方向に所定の第３パルス数分回転することで、第１円筒カム部２４１が逆方向に更に回転して、第１突出部２４５ｂが第１円筒カム部２４１の内側に形成されている下溝部２４１ｅを移動する。また、第１円筒カム部２４１が逆方向に更に回転することで、第２円筒カム部２９１が正方向に更に回転して、第２突出部２９５ｂが第２円筒カム部２９１の内側に形成されている上溝部２９１ｈに案内される。したがって、第２弁体２９３が第３位置Ｐ３ｂに移動する。これによって、空気流路切り換え部２３０の状態が第２状態となる。なお、このとき、第１弁体２４３は、第４位置Ｐ４に位置している。
【０２６７】
また、遮蔽機構制御部２６１は、モータ２７１ａの回転方向および検知部２６３の検知結果に基づいて、空気流路切り換え部２３０の状態が第１状態であるか否か、または、第２状態であるか否かを判断する。具体的には、遮蔽機構制御部２６１は、検知部２６３から出力される回転方向に関する信号が「正方向」、すなわち、決定部２６５から出力される回転方向に関する信号が「正方向」であって、かつ、検知部２６３によって開口２３６，２３７が開放されたことが検知された場合、第１開口２３６が開放されたことを推定する。そして、遮蔽機構制御部２６１は、第１開口２３６が開放されたことを推定した場合、空気流路切り換え部２３０の状態が第１状態に切り換わったと判断する。そして、遮蔽機構制御部２６１は、空気流路切り換え部２３０の状態が第１状態であると判断する。
【０２６８】
また、遮蔽機構制御部２６１は、検知部２６３から出力される回転方向に関する信号が「逆方向」、すなわち、決定部２６５から出力される回転方向に関する信号が「逆方向」であって、かつ、検知部２６３によって開口２３６，２３７が開放されたことが検知された場合、第２開口２３７が開放されたことを推定する。そして、遮蔽機構制御部２６１は、第２開口２３７が開放されたことを推定した場合、空気流路切り換え部２３０の状態が第２状態に切り換わったと判断する。そして、遮蔽機構制御部２６１は、空気流路切り換え部２３０の状態が第２状態であると判断する。
【０２６９】
さらに、遮蔽機構制御部２６１は、決定部２６５から出力される回転方向に関する信号が「正方向」であって、決定部２６５から出力されるパルス数に関する信号が所定の第１パルス数であり、かつ、リミットスイッチ２８０から出力される信号がＯＮ信号からＯＦＦ信号に切り換わった場合、第１開口２３６および第２開口２３７が閉じられたことを推定する。また、遮蔽機構制御部２６１は、上述の条件で第１開口２３６および第２開口２３７が閉じられたと推定した場合、空気流路切り換え部２３０の状態が、第２状態から第３状態に切り換わったと判断する。そして、遮蔽機構制御部２６１は、空気流路切り換え部２３０の状態が第３状態であると判断する。
【０２７０】
また、遮蔽機構制御部２６１は、決定部２６５から出力される回転方向に関する信号が「逆方向」であって、決定部２６５から出力されるパルス数に関する信号が所定の第１パルス数であり、かつ、リミットスイッチ２８０から出力される信号がＯＮ信号からＯＦＦ信号に切り換わった場合、第１開口２３６および第２開口２３７が閉じられたことを推定する。また、遮蔽機構制御部２６１は、上述の条件で第１開口２３６および第２開口２３７が閉じられたと推定した場合、空気流路切り換え部２３０の状態が第１状態から第３状態に切り換わったと判断する。そして、遮蔽機構制御部２６１は、空気流路切り換え部２３０の状態が第３状態であると判断する。
【０２７１】
また、モータ駆動制御部２６４は、決定部２６５から信号が出力されない場合には、モータ２７１ａに対して回転方向およびパルス数の供給を行わない。また、遮蔽機構制御部２６１は、決定部２６５から信号が出力されない場合には、空気流路切り換え部２３０の状態を切り換える必要がないと判断する。なお、記憶部２６２は、遮蔽機構制御部２６１によって空気流路切り換え部２３０の状態を切り換える必要がないと判断された場合、現在記憶されている空気流路切り換え部２３０の状態を、現在の空気流路切り換え部２３０の状態として記憶する。
【０２７２】
＜制御部による制御動作＞
次に、制御部２６０による空気流路切り換え部２３０の状態の切り換え動作について説明する。なお、以下には、ユーザから第２部屋２０１ｂ内への加湿空気の供給指示が為された場合を例として説明する。
【０２７３】
リモコン２９０を介してユーザから第２部屋２０１ｂ内への加湿空気の供給開始指示、すなわち、第２室内機２０２ｂに対する加湿運転の開始指示が為された場合、制御部２６０は、第１室内機２０２ａから第１部屋２０１ａ内への加湿空気の供給が為されているか否かを判断する。そして、制御部２６０は、第１室内機２０２ａから第１部屋２０１ａ内への加湿空気の供給が為されていないと判断した場合、室外空気から加湿空気が生成されるように加湿ユニット２０５の有する各種機器を制御する。また、制御部２６０は、空気流路切り換え部２３０の状態が第２状態となるように、遮蔽機構制御部２６１に対して制御指示を出力する。遮蔽機構制御部２６１は、制御部２６０からの制御指示に基づいて、空気流路切り換え部２３０の状態を第２状態に切り換える制御を開始する。具体的には、遮蔽機構制御部２６１は、記憶部２６２に記憶されている現在の空気流路切り換え部２３０の状態に基づいてパルス数および回転方向を決定し、決定した回転方向およびパルス数をモータ２７１ａに対して供給する。そして、モータ２７１ａがモータ駆動制御部２６４から供給された回転方向に供給されたパルス数分回転することで、空気流路切り換え部２３０の状態が第２状態に切り換わる。また、制御部２６０は、空気流路切り換え部２３０の状態が第２状態に切り換わった後に、吸排気切り換えダンパ２５３を給気状態に切り換え、かつ、吸排気ファン２５４を回転駆動させる。これによって、加湿ユニット２０５から第２部屋２０１ｂ内に加湿空気が供給される。
【０２７４】
また、制御部２６０は、第１室内機２０２ａから第１部屋２０１ａ内への加湿空気の供給が為されていると判断した場合、制御部２６０は、空気流路切り換え部２３０の状態が第２状態となるように、遮蔽機構制御部２６１に対して制御指示を出力しない。このため、加湿ユニット２０５から第２部屋２０１ｂ内に対して加湿空気は供給されない。なお、このとき、第２室内機２０２ｂの有する報知部から第１室内機２０２ａにおいて加湿運転が実行されている旨が報知されてもよい。
【０２７５】
＜特徴＞
（１）
上記実施形態では、バネ部材２４７ａ，２９７ａが、ガイド板２４５，２９５とバネ受け２４７ｂ，２９７ｂとによって圧縮されることで、バネ受け２４７ｂ，２９７ｂを下方向に押圧する。このため、バネ部材２４７ａ，２９７ａは、開口２３６，２３７が塞がれるように弁体２４３，２９３を付勢することができる。
【０２７６】
これによって、空気流路切り換え部２３０において、弁体２４３，２９３と開口２３６，２３７との隙間から空気が漏れるおそれを減らすことができている。また、加湿ダクト２５８内の空気が室外ダクト２０８ａ，２０８ｂ内に漏れるおそれを減らすことができるため、空気調和機２０１において加湿運転が停止された後に、室外ダクト２０８ａ，２０８ｂに結露が生じるおそれを減らすことができる。このため、加湿運転の停止後再び加湿運転を開始する際に、室外ダクト２０８ａ，２０８ｂの結露水によって異音が発生するおそれを減らすことができる。さらに、バネ部材２４７ａ，２９７ａが弁体２４３，２９３を付勢することで、上下方向の部品間の取り付け寸法にバラツキがあった場合でも、開口２３６，２３７が塞がれないおそれを減らすことができる。
【０２７７】
（２）
上記実施形態では、切換部ケーシング２３３内部を流れる空気には、加湿空気が含まれる。このため、この空気調和機２０１では、空気流路切り換え部２３０において、加湿空気の流通を遮蔽することができる。
【０２７８】
（３）
上記実施形態では、切換部ケーシング２３３は、室外から部屋２０１ａ，２０１ｂ内または部屋２０１ａ，２０１ｂ内から室外に流れる空気が通る加湿ダクト２５８の一部である。このため、吸排気ファン５４によって、切換部ケーシング２３３内部を流れる空気を、室外から部屋２０１ａ，２０１ｂ内に、または、部屋２０１ａ，２０１ｂ内から室外に搬送することができる。したがって、この空気調和機２０１では、空気流路切り換え部２３０において、室外から部屋２０１ａ，２０１ｂ内に搬送される空気の流通を遮蔽することができる。
【０２７９】
（４）
上記実施形態では、パッキン２４９，２９９は、ゴム製または樹脂製の弾性変形可能な材料であって、押え板２４８，２９８の下側から押え板２４８，２９８に嵌装される。また、押え板２４８，２９８にパッキン２４９，２９９が装着された状態で、押え板２４８，２９８の凹部２４８ｃ，２９８ｃ内部には、凹部２４８ｃ，２９８ｃの開口部をパッキン２４９，２９９に覆われた空間Ｓ１が形成される。このため、パッキン２４９，２９９が開口２３６，２３７の端部に接触した後に、さらに、弁体２４３，２９３の押え板２４８，２９８およびパッキン２４９，２９９が下方向に移動されることで、パッキン２４９，２９９が内側に折れ曲がる。このため、押え板２４８，２９８とパッキン２４９，２９９との間に形成されている空間Ｓ１の体積が小さくなる。したがって、パッキン２４９，２９９は、自重およびバネ部材２４７ａ，２９７ａによるバネ圧によって、開口２３６，２３７が塞がれるように弁体２４３，２９３を付勢することができる。したがって、弁体２４３，２９３と開口２３６，２３７との間に隙間が生じるおそれを減らすことができる。
【０２８０】
これによって、弁体２４３，２９３と開口２３６，２３７との隙間から空気が漏れるおそれを減らすことができている。
【０２８１】
（５）
上記実施形態では、円筒状カム２４２，２９２によって、弁体２４３，２９３が上下方向に直線的に移動される。また、円筒状カム２４２，２９２によって、バネ部材２４７ａ，２９７ａおよびパッキン２４９，２９９が弾性変形される。このため、この空気調和機２０１では、円筒状カム２４２，２９２によって、開口２３６，２３７が遮蔽または開放されるように弁体２４３，２９３を移動することができている。
【０２８２】
（６）
上記実施形態では、ガイド板２４５，２９５の突出部２４５ｂ，２９５ｂが下溝部２４１ｅ，２９１ｅに案内されたときには、バネ部材２４７ａ，２９７ａは最も圧縮された状態となる。また、バネ部材２４７ａ，２９７ａは、ガイド板２４５，２９５とバネ受け２４７ｂ，２９７ｂとによって圧縮されることで、バネ受け２４７ｂ，２９７ｂを下方向に押圧する。このため、バネ部材２４７ａ，２９７ａは、ガイド板２４５，２９５の突出部２４５ｂ，２９５ｂが下溝部２４１ｅ，２９１ｅに案内されたときに、開口２３６，２３７が塞がれるように弁体２４３，２９３を付勢することができる。
【０２８３】
（７）
上記実施形態では、第１開口２３６が開放されている場合には第２開口２３７が閉じられており、第２開口２３７が開放されている場合には第１開口２３６が閉じられている。例えば、一方の開口が閉じられており他方の開口が開放されている状態で、閉じられている側の開口の遮蔽が不完全な場合には、開放されている側の開口に空気が通過するだけでなく、閉じられている側の開口にも空気が漏れるおそれがある。また、閉じられている側の開口を通過した空気の流速は、開放されている側の開口を通過する空気の流速よりも遅くなることが考えられる。このため、閉じられている側の開口を介して加湿ダクトと接続されている室外ダクト内には結露が発生するおそれがある。そこで、上記実施形態では、バネ部材２４７ａ，２９７ａおよびパッキン２４９，２９９によって、開口２３６，２３７が付勢されている。このため、バネ部材またはパッキン等の付勢部材によって弁体が付勢されない場合と比較して、弁体２４３，２９３と開口２３６，２３７との間に隙間が生じるおそれを減らすことができる。したがって、閉じられている側の開口から室外ダクトに空気が漏れるおそれを減らすことができるため、室外ダクト内に結露が発生するおそれを減らすことができる。
【０２８４】
（８）
上記実施形態では、シャフト２４７，２９７が、上下方向、すなわち、下部ケーシング２３２の表面に対して交差する方向に直線的に移動する。また、シャフト２４７，２９７の移動に伴って押え板２４８，２９８およびパッキン２４９，２９９が、下部ケーシング２３２の表面に対して交差する方向に直線的に移動する。すなわち、弁体２４３，２９３が、下部ケーシング２３２の表面に対して交差する方向に直線的に移動することで、開口２３６，２３７が塞がれる。このため、例えば、弁体がスライド移動することによって開口を閉じるような空気流路切り換え部と比較して、弁体２４３，２９３によって開口２３６，２３７が閉じられたときに下部ケーシング２３２と弁体２４３，２９３との間に隙間が生じるおそれを減らすことができる。したがって、下部ケーシング２３２と弁体２４３，２９３との隙間から空気が漏れるおそれを減らすことができる。
【０２８５】
これによって、加湿ダクト２５８内の空気が室外ダクト２０８ａ，２０８ｂ内に漏れるおそれを減らすことができている。
【０２８６】
（９）
上記実施形態では、円筒状カム２４２，２９２は、モータ２７１ａから伝わる回転力を直線移動力に変換して弁体２４３，２９３に伝達することで、弁体２４３，２９３を直線的に移動させる。このため、円筒状カム２４２，２９２によって、弁体２４３，２９３を直線的に移動させることができている。
【０２８７】
（１０）
上記実施形態では、円筒カム部２４１，２９１の内側には、ガイド板２４５，２９５の突出部２４５ｂ，２９５ｂを案内するためのカム溝２４１ａ，２９１ａが形成されている。また、カム溝２４１ａ，２９１ａは、所定の傾きを有するように形成されている中溝部２４１ｆ，２４１ｇ，２９１ｆ，２９１ｇを含む。このため、ガイド板２４５，２９５の突出部２４５ｂ，２９５ｂを、上溝部２４１ｈ，２９１ｈから下溝部２４１ｅ，２９１ｅに、または、下溝部２４１ｅ，２９１ｅから上溝部２４１ｈ，２９１ｈに案内する場合に、円滑に移動させることができる。
【０２８８】
これによって、弁体２４３，２９３を上下方向に円滑に移動させることができている。
【０２８９】
また、上記実施形態では、第２中溝部２４１ｆ，２９１ｆが第１中溝部２４１ｇ，２９１ｇよりも緩やかな傾きを有している。このため、例えば、第２中溝部が第１中溝部と同様の傾きを有する場合と比較して、バネ部材２４７ａ，２９７ａを圧縮するためのモータ２７１ａの駆動トルクを小さくすることができる。
【０２９０】
（１１）
上記実施形態では、遮蔽部２４０は、１つのモータ２７１ａを有する駆動部２７１と、駆動部２７１によって回転駆動される２つの円筒状カム２４２，２９２と、２つの弁体２４３，２９３とを備えている。また、弁体２４３，２９３は、上下方向に移動されることによって、開口２３６，２３７を開閉することができる。このため、空気流路切り換え部２３０は、２つの開口２３６，２３７を塞ぐことができる。
【０２９１】
これによって、加湿ユニット２０５と第１室内機２０２ａとの間に形成される空気流路（加湿ダクト２５８、第１室外ダクト２０８ａおよび第１室内ダクト２０９ａ）を流れる空気の流通、および、加湿ユニット２０５と第２室内機２０２ｂとの間に形成される空気流路（加湿ダクト２５８、第２室外ダクト２０８ｂおよび第２室内ダクト２０９ｂ）を流れる空気の流通を遮蔽することができる。
【０２９２】
（１２）
上記実施形態では、１つのモータ２７１ａによって、２つの円筒カム部２４１，２９１が同期して駆動されている。また、円筒カム部２４１，２９１が回転駆動することによって、ガイド板２４５，２９５を移動させることができる。また、ガイド板２４５，２９５が移動されることで、弁体２４３，２９３の押え板２４８，２９８およびパッキン２４９，２９９が移動される。そして、押え板２４８，２９８およびパッキン２４９，２９９が移動されることで、開口２３６，２３７が塞がれる。このため、１つのモータ２７１ａによって、開口２３６，２３７を閉じることができる。したがって、１つのモータ２７１ａによって、加湿ユニット２０５と第１室内機２０２ａとの間に形成される空気流路、すなわち、加湿ダクト２５８、第１室外ダクト２０８ａおよび第１室内ダクト２０９ａを流れる空気の流通、および、加湿ユニット２０５と第２室内機２０２ｂとの間に形成される空気流路、すなわち、加湿ダクト２５８、第２室外ダクト２０８ｂおよび第２室内ダクト２０９ｂを流れる空気の流通を遮蔽することができる。
【０２９３】
これによって、１つの弁体を１つのモータが駆動させる場合と比較して、部品点数を増加させることなく、加湿ユニット２０５と第１室内機２０２ａとの間に形成される空気流路、および、加湿ユニット２０５と第２室内機２０２ｂとの間に形成される空気流路を流れる空気の流通を遮蔽することができている。
【０２９４】
（１３）
上記実施形態では、モータ２７１ａは、正逆回転可能なステッピングモータである。また、モータ２７１ａが正方向、または、逆方向に回転することによって、円筒カム部２４１，２９１を正方向または逆方向に回転させることができる。また、円筒カム部２４１，２９１が正方向または逆方向に回転することで、弁体２４３，２９３を移動させることができる。このため、モータ２７１ａが正方向、または、逆方向に回転することによって、弁体２４３，２９３を移動させることができている。
【０２９５】
（１４）
上記実施形態では、モータ駆動制御部２６４がモータ２７１ａの回転量および回転方向を制御することで、空気流路切り換え部２３０の状態が切り換えられる。また、空気流路切り換え部２３０の状態には、加湿ダクト２５８の内部空間と第１室外ダクト２０８ａの内部空間とが第１開口２３６を介して連通している第１状態と、加湿ダクト２５８の内部空間と第２室外ダクト２０８ｂの内部空間とが第２開口２３７を介して連通している第２状態と、加湿ダクト２５８の内部空間と室外ダクト２０８ａ，２０８ｂの内部空間との連通が遮蔽されている第３状態とが含まれる。このため、加湿ダクト２５８と第１室内機２０２ａとの間を流れる空気の流通のみを遮蔽したり、加湿ダクト２５８と第２内機２０２ｂとの間を流れる空気の流通のみを遮蔽したり、加湿ユニット２０５と室内機２０２ａ，２０２ｂとの間を流れる空気の流通を遮蔽したりすることができる。
【０２９６】
（１５）
上記実施形態では、遮蔽部２４０は、スイッチ軸２７６が凸部２９４ｃａと対峙したときにＯＮ信号を発し、スイッチ軸２７６が凸部２９４ｃａと対峙していないときにＯＦＦ信号を発するリミットスイッチ２８０を備えている。また、検知部２６３は、リミットスイッチ２８０から出力される信号に基づいて、開口２３６，２３７が開放されたか否かを検知する。このため、第１開口２３６、または、第２開口２３７が開放されたか否かを検知することができる。
【０２９７】
（１６）
上記実施形態では、遮蔽機構制御部２６１は、モータ２７１ａの回転方向および検知部２６３の検知結果に基づいて、空気流路切り換え部２３０の状態が第１状態であるか、または、第２状態であるかを判断する。このため、加湿ダクト２５８と第１室内機２０２ａとの間の空気の流通、または、加湿ダクト２５８と第２内機２０２ｂとの間の空気の流通が行われないおそれを減らすことができる。
【０２９８】
（１７）
上記実施形態では、円筒カム部２４１，２９１の回転位置が図３４（ａ）に示す位置、すなわち、第１突出部２４５ｂが第１円筒カム部２４１の内側に形成されている下溝部２４１ｅにおいて図２５および図２６に示す範囲Ｗ４に位置しており、かつ、第２突出部２９５ｂが第２円筒カム部２９１の内側に形成されている下溝部２９１ｅにおいて図２５および図２６に示す範囲Ｗ４に位置している場合には、弁体２４３，２９３によって第１開口２３６および第２開口２３７が閉じられる。このため、供給されるパスル数に応じて回転するモータ２７１ａによって円筒カム部２４１，２９１が回転されても、突出部２４５ｂ，２９５ｂが下溝部２４１ｅ，２９１ｅにおける範囲Ｗ４に位置している場合には、第１開口２３６および第２開口２３７を閉じることができる。
【０２９９】
これによって、加湿ダクト２５８内の空気が室外ダクト２０８ａ，２０８ｂ内に漏れるおそれを減らすことができている。
【０３００】
また、上記実施形態では、モータ２７１ａが逆方向に所定量だけ回転することで第１弁体２４３によって第１開口２３６が閉じられた状態となり、モータ２７１ａが正方向に所定量だけ回転することで第１開口２３６が開放された状態となる。また、モータ２７１ａが逆方向に所定量だけ回転することで第２開口２３７が開放された状態となり、モータ２７１ａが正方向に所定量だけ回転することで第２弁体２９３によって第２開口２３７が閉じられた状態となる。すなわち、モータ２７１ａが所定方向に所定量だけ回転することで、開口２３６，２３７が閉じられたり開放されたりする。言い換えると、第１弁体２４３によって第１開口２３６が閉じているときにモータ２７１ａを第１方向（正方向）に所定量回転させることで第１開口２３６は開放され、第１開口２３６が開放されているときにモータ２７１ａを第２方向（逆方向）に所定量回転させることで第１弁体２４３によって第１開口２３６が閉じられる。また、第２弁体２９３によって第２開口２３７が閉じられているときモータ２７１ａを第２方向（逆方向）に所定量回転させることで第２開口２３７は開放され、第２開口２３７が開放されているときにモータ２７１ａを第１方向（正方向）に所定量回転させることで第２弁体２９３によって第２開口２３７が閉じられる。このため、モータ２７１ａの回転方向および回転量を制御することによって、空気流路切り換え部２３０の状態を切り換えることができる。
【０３０１】
（１８）
上記実施形態では、モータ２７１ａが所定の第１パルス数分回転することで、円筒カム部２４１，２９１を約１５５度回転させる。このため、空気流路切り換え部２３０の状態が第１状態である場合に、モータ２７１ａが逆方向に所定の第１パルス数分回転した場合、第１円筒カム部２４１が逆方向に回転し第２円筒カム部２９１が正方向に回転して、各ガイド板２４５，２９５の突出部２４５ｂ，２９５ｂがカム溝２４１ａ，２９１ａに沿って上下方向に移動することで、第１弁体２４３の位置が第３位置Ｐ３ｂから第４位置Ｐ４に移動し、第２弁体２９３の位置は移動せず第４位置Ｐ４に位置し続ける。これによって、第１開口２３６および第２開口２３７が塞がれた状態、すなわち、空気流路切り換え部２３０の状態が第３状態となる。また、空気流路切り換え部２３０の状態が第２状態である場合に、モータ２７１ａが正方向に所定の第１パルス数分回転した場合、第１円筒カム部２４１が正方向に回転し、第２円筒カム部２９１が逆方向に回転して、各ガイド板２４５，２９５の突出部２４５ｂ，２９５ｂがカム溝２４１ａ，２９１ａに沿って上下方向に移動することで、第１弁体２４３の位置は移動せず第４位置Ｐ４に位置し続け、第２弁体２９３の位置は第３位置Ｐ３ｂから第４位置Ｐ４に移動する。これによって、第１開口２３６および第２開口２３７が塞がれた状態、すなわち、空気流路切り換え部２３０の状態が第３状態となる。このため、突出部２４５ｂ，２９５ｂが下溝部２４１ｅ，２９１ｅの範囲Ｗ４に位置している場合には、第１弁体２４３および第２弁体２９３を第４位置Ｐ４に配置することができる。したがって、第１開口２３６および第２開口２３７が塞がれた状態とならないおそれを減らすことができている。
【０３０２】
これによって、室外から部屋２０１ａ，２０１ｂ内に搬送される空気の流通が遮蔽されないおそれを減らすことができている。
【０３０３】
＜変形例＞
（Ａ）
上記実施形態では、加湿ユニット２０５を稼働することによって、室外から２つの部屋２０１ａ，２０１ｂ内に室外空気を供給可能である。
【０３０４】
これに代えて、３つ以上の部屋、すなわち、複数の部屋内に室外空気が供給されてもよい。
【０３０５】
例えば、１台の室外機と３台の室内機とが接続されている空気調和機では、１台の室内機を１つの部屋内に設置することで、室外から３つの部屋内に室外空気を供給可能となる。なお、各室内機には、各室内機に対してそれぞれ室内ダクトおよび室外ダクトが接続される。また、空気流路切り換え部の下部ケーシングには、各室外ダクトと加湿ダクトとを接続するための開口が３つ形成されており、各室外ダクトは各開口を介して加湿ダクトに接続される。さらに、空気流路切り換え部の遮蔽部は、駆動部の他に、各開口を開閉するための、３つの円筒状カムと、３つの弁体とを備えている。
【０３０６】
このように、複数の弁体によって複数の開口を遮蔽することが可能な空気流路切り換え機構を備える空気流路切り換え部を設けることで、１台の室外機から複数の室内機に加湿空気を供給することができる。
【０３０７】
これによって、１台の室外機によって複数の部屋内を加湿することができる。
【０３０８】
（Ｂ）
上記実施形態では、モータ駆動制御部２６４は、弁体が第３位置Ｐ３ｂから第４位置Ｐ４に移動するようにモータ２７１ａに対して所定の第１パルス数を供給しているが、これに限定されず、弁体が検知位置Ｐ３ａから第４位置Ｐ４に移動するようにモータに対して所定のパルス数を供給してもよい。
【０３０９】
（Ｃ）
上記実施形態では、開口２３６，２３７が弁体２４３，２９３によって開閉されているが、これに限定されず、例えば、開口近傍に取り付けられた蓋部材がリンク棒によって開閉されてもよい。また、１つの開口がボールバルブ式三方弁（例えば、水用三方弁等）の構造を有する遮蔽部によって開閉されてもよい。
【０３１０】
（Ｄ）
上記実施形態では、空気流路切り換え部２３０が加湿ユニット２０５内に配置されているが、これに限定されず、空気流路切り換え部が加湿ユニット外に配置されていてもよい。
【産業上の利用可能性】
【０３１１】
本発明は、複数の部屋内への給気を１台の給気ユニットによって実現することができるため、空気調和機への適用が有効である。
【符号の説明】
【０３１２】
３２      仕切部（仕切部材）
１３２              ダンパ（仕切部材）
２０７ｃ      空気取込口
２０８ａ      第１室外ダクト（第１配管）
２０８ｂ      第２室外ダクト（第２配管）
２０９ａ      第１室内ダクト（第１配管）
２０９ｂ      第２室内ダクト（第２配管）
２３２      下部ケーシング（流路形成部材）
２３３      切換部ケーシング（遮蔽機構）
２３６      第１開口
２３７      第２開口
２４０      遮蔽部（遮蔽機構）
２４３      第１弁体（弁体）
２４７      シャフト（第１弁体）
２４７ａ  バネ部材（第１付勢部材）
２４８      押え板（第１弁体）
２４９    パッキン（第１付勢部材）
２５８      加湿ダクト（ダクト）
２６３    検知部（検知手段）
２７１    駆動部（弁体駆動部）
２７１ａ    モータ（駆動源）
２９３      第２弁体（弁体）
２９７    シャフト（第１弁体）
２９７ａ  バネ部材（第２付勢部材）
２９８    押え板（第２弁体）
２９９    パッキン（第２付勢部材）
１，１００，２０１  空気調和機
１ａ，１０１ａ，２０１ａ  第１部屋
１ｂ，１０１ｂ，２０１ｂ  第２部屋
２ａ，１０２ａ，２０２ａ  第１室内機（第１室内ユニット）
２ｂ，１０２ｂ，２０２ｂ  第２室内機（第２室内ユニット）
４，１０４，２０５  加湿ユニット（給気ユニット）
６，１０６，２０５ａ  加湿ユニット本体（給気ユニット本体）
６ａ，１０６ａ  第１吸排気ホース（第１配管）
６ｂ，１０６ｂ  第２吸排気ホース（第２配管）
７ｃ，１０７ｃ  吸排気口（開口）
３０，１３０，２３０      空気流路切り換え部（切り換え部）
５１，１５１，２５１      加湿ロータ（加湿部）
５８，１５８      吸排気ダクト（第３配管）
６０，１６０，２６０      制御部
２４１，２９１  円筒カム部（回転部材）
２４２，２９２  円筒状カム（変換機構，弁体駆動部，弁体移動機構）
【先行技術文献】
【特許文献】
【０３１３】
【特許文献１】特開２００６−１０３０７号公報
【図１】
0004433091.tif 000002
【図２】
0004433091.tif 000003
【図３】
0004433091.tif 000004
【図４】
0004433091.tif 000005
【図５】
0004433091.tif 000006
【図６】
0004433091.tif 000007
【図７】
0004433091.tif 000008
【図８】
0004433091.tif 000009
【図９】
0004433091.tif 000010
【図１０】
0004433091.tif 000011
【図１１】
0004433091.tif 000012
【図１２】
0004433091.tif 000013
【図１３】
0004433091.tif 000014
【図１４】
0004433091.tif 000015
【図１５】
0004433091.tif 000016
【図１６】
0004433091.tif 000017
【図１７】
0004433091.tif 000018
【図１８】
0004433091.tif 000019
【図１９】
0004433091.tif 000020
【図２０】
0004433091.tif 000021
【図２１】
0004433091.tif 000022
【図２２】
0004433091.tif 000023
【図２３】
0004433091.tif 000024
【図２４】
0004433091.tif 000025
【図２５】
0004433091.tif 000026
【図２６】
0004433091.tif 000027
【図２７】
0004433091.tif 000028
【図２８】
0004433091.tif 000029
【図２９】
0004433091.tif 000030
【図３０】
0004433091.tif 000031
【図３１】
0004433091.tif 000032
【図３２】
0004433091.tif 000033
【図３３】
0004433091.tif 000034
【図３４】
0004433091.tif 000035
【図３５】
0004433091.tif 000036
【図３６】
0004433091.tif 000037
【図３７】
0004433091.tif 000038
【図３８】
0004433091.tif 000039